(57)【特許請求の範囲】
【請求項１】
ネットワークノードによってサポートされる異なるヌメロロジー間でスイッチングするための前記ネットワークノードにおける方法であって、
第１のヌメロロジーで動作する第１の信号と第２のヌメロロジーで動作する第２の信号との間でスイッチングするために、前記ネットワークノードによって使用されることが可能な少なくとも１つのパラメータを判断することであって、前記第１のヌメロロジーが、第１のサブキャリア間隔であり、前記第２のヌメロロジーが、第２のサブキャリア間隔であり、前記第２のサブキャリア間隔が、前記第１のサブキャリア間隔とは異なる、少なくとも１つのパラメータを判断することと、
前記少なくとも１つのパラメータに基づいて前記第１の信号と前記第２の信号の間でスイッチングすることであって、前記少なくとも１つのパラメータが、前記第１の信号の前記第１のヌメロロジーから前記第２の信号の前記第２のヌメロロジーへのスイッチングによる最大許容割込時間に対応する値を含む、前記第１の信号と前記第２の信号の間でスイッチングすることと、
前記スイッチング後に、前記ネットワークノードと第２のノードの間で前記第１の信号および前記第２の信号のうちの少なくとも１つを動作させることと
を含む、方法。
【請求項２】
前記少なくとも１つのパラメータが、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む、請求項１に記載の方法。
【請求項３】
異なるヌメロロジーを有するマルチキャストに隣接した少なくとも１つのサブフレームにおけるダウンリンク送信およびアップリンク送信のうちの少なくとも１つのスケジューリングを制限することをさらに含む、請求項１に記載の方法。
【請求項４】
前記ネットワークノードと前記第２のノードの間で前記第１の信号および前記第２の信号のうちの前記少なくとも１つを動作させることが、前記第１の信号および前記第２の信号のうちの前記少なくとも１つを前記第２のノードに送信することと、前記第１の信号および前記第２の信号のうちの前記少なくとも１つを前記第２のノードから受信することと、のうちの少なくとも１つを含む、請求項１に記載の方法。
【請求項５】
前記第２のノードが無線デバイスである、請求項１に記載の方法。
【請求項６】
前記第２のノードおよび別のノードのうちの少なくとも１つから前記少なくとも１つのパラメータに関する情報を受信することをさらに含み、
前記少なくとも１つのパラメータに基づいて前記第１の信号と前記第２の信号の間でスイッチングすることが、前記少なくとも１つのパラメータに関する前記受信された情報に少なくとも基づいて前記第１の信号と前記第２の信号の間でスイッチングすることを含む、
請求項１に記載の方法。
【請求項７】
前記第１の信号と前記第２の信号の間でスイッチングすることが、前記第２のノードによってサポートされるヌメロロジーにさらに基づく、請求項１に記載の方法。
【請求項８】
前記第１の信号および前記第２の信号の一方が、少なくとも１つの非マルチメディアブロードキャスト単一周波数ネットワーク（非ＭＢＳＦＮ）のサブフレームに含まれ、前記第１の信号および前記第２の信号の他方が、少なくとも１つのマルチメディアブロードキャスト単一周波数ネットワーク（ＭＢＳＦＮ）のサブフレームに含まれる、請求項１に記載の方法。
【請求項９】
異なるヌメロロジーを有するマルチキャストに隣接した少なくとも１つのサブフレームにおけるダウンリンク送信およびアップリンク送信のうちの少なくとも１つのスケジューリングを制限することをさらに含む、請求項２に記載の方法。
【請求項１０】
前記第２のノードおよび別のノードのうちの少なくとも１つから前記少なくとも１つのパラメータに関する情報を受信することをさらに含み、
前記少なくとも１つのパラメータに基づいて前記第１の信号と前記第２の信号の間でスイッチングすることが、前記少なくとも１つのパラメータに関する前記受信された情報に少なくとも基づいて前記第１の信号と前記第２の信号の間でスイッチングすることを含む、
請求項２に記載の方法。
【請求項１１】
前記第１の信号と前記第２の信号の間でスイッチングすることが、前記第２のノードによってサポートされるヌメロロジーにさらに基づく、請求項２に記載の方法。
【請求項１２】
ネットワークノードによってサポートされる異なるヌメロロジー間でスイッチングするように設定された前記ネットワークノードであって、
第１のヌメロロジーで動作する第１の信号と第２のヌメロロジーで動作する第２の信号との間でスイッチングするために、前記ネットワークノードによって使用されることが可能な少なくとも１つのパラメータを判断することであって、前記第１のヌメロロジーが、第１のサブキャリア間隔であり、前記第２のヌメロロジーが、第２のサブキャリア間隔であり、前記第２のサブキャリア間隔が、前記第１のサブキャリア間隔とは異なる、少なくとも１つのパラメータを判断することと、
前記少なくとも１つのパラメータに基づいて前記第１の信号と前記第２の信号の間でスイッチングすることであって、前記少なくとも１つのパラメータが、前記第１の信号の前記第１のヌメロロジーから前記第２の信号の前記第２のヌメロロジーへのスイッチングによる最大許容割込時間に対応する値を含む、前記第１の信号と前記第２の信号の間でスイッチングすることと、
前記スイッチング後に、前記ネットワークノードと第２のノードの間で前記第１の信号および前記第２の信号のうちの少なくとも１つを動作させることと
を行うように設定された処理回路を備える、ネットワークノード。
【請求項１３】
前記少なくとも１つのパラメータが、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む、請求項１２に記載のネットワークノード。
【請求項１４】
前記処理回路が、異なるヌメロロジーを有するマルチキャストに隣接した少なくとも１つのサブフレームにおけるダウンリンク送信およびアップリンク送信のうちの少なくとも１つのスケジューリングを制限するようにさらに設定される、請求項１２に記載のネットワークノード。
【請求項１５】
前記処理回路と通信する通信インターフェースをさらに備え、前記処理回路が、前記第１の信号および前記第２の信号のうちの前記少なくとも１つを前記第２のノードに送信することを前記通信インターフェースに行わせることと、前記第１の信号および前記第２の信号のうちの前記少なくとも１つを前記第２のノードから受信することを前記通信インターフェースに行わせることと、のうちの少なくとも１つによって、前記ネットワークノードと前記第２のノードの間で前記第１の信号および前記第２の信号のうちの前記少なくとも１つを動作させるように設定された、請求項１２に記載のネットワークノード。
【請求項１６】
前記第２のノードが、無線デバイスである、請求項１２に記載のネットワークノード。
【請求項１７】
前記処理回路と通信する通信インターフェースをさらに備え、前記処理回路が、
前記第２のノードおよび別のノードのうちの少なくとも１つから前記少なくとも１つのパラメータに関する情報を受信することを前記通信インターフェースに行わせることと、
前記少なくとも１つのパラメータに関する前記受信された情報に少なくとも基づいて前記第１の信号と前記第２の信号の間でスイッチングすることと
を行うように設定された、請求項１２に記載のネットワークノード。
【請求項１８】
前記処理回路が、前記第２のノードによってサポートされるヌメロロジーに基づいて前記第１の信号と前記第２の信号の間でスイッチングするようにさらに設定される、請求項１２に記載のネットワークノード。
【請求項１９】
前記第１の信号および前記第２の信号の一方が、少なくとも１つの非マルチメディアブロードキャスト単一周波数ネットワーク（非ＭＢＳＦＮ）のサブフレームに含まれ、前記第１の信号および前記第２の信号の他方が、少なくとも１つのマルチメディアブロードキャスト単一周波数ネットワーク（ＭＢＳＦＮ）のサブフレームに含まれる、請求項１２に記載のネットワークノード。
【発明の詳細な説明】
【技術分野】
【０００１】
無線通信、詳細には、第１のノードのスイッチング能力に基づいて異なるヌメロロジー（ｎｕｍｅｒｏｌｏｇｙ）間でスイッチングするように設定された方法、無線デバイス、およびネットワークノードに関する。
【背景技術】
【０００２】
マルチメディアブロードキャストマルチキャストサービス
無線通信において、１つのノードから発するデータが複数のユーザに向けられるものである時がある。これらのサービスは「ブロードキャスティング」または「マルチキャスティング」と呼ばれ、最もよく知られる例は、テレビおよびラジオのブロードキャスティングである。Ｌｏｎｇ  Ｔｅｒｍ  Ｅｖｏｌｕｔｉｏｎ（ＬＴＥ）のエアインターフェースであるセルラー標準の拡張ユニバーサル地上無線アクセス（Ｅ−ＵＴＲＡ：Ｅｖｏｌｖｅｄ  ｕｎｉｖｅｒｓａｌ  Ｔｅｒｒｅｓｔｒｉａｌ  Ｒａｄｉｏ  Ａｃｃｅｓｓ）は、マルチメディアブロードキャストマルチキャストサービス（ＭＢＭＳ：Ｍｕｌｔｉｍｅｄｉａ  Ｂｒｏａｄｃａｓｔ  Ｍｕｌｔｉｃａｓｔ  ｓｅｒｖｉｃｅｓ）と呼ばれるマルチキャスティングのためのサポートサービスを含む。
【０００３】
ＭＢＭＳにおいて、データは、いくつかのセルを典型的に含む同じＭＢＭＳサービスエリア内にいる全てのユーザに送信され、ＭＢＭＳエリア内のネットワークノードのそれぞれは、独自のセルエリア内でデータを送信する。送信が時刻同期される場合、ユーザ端末における受信信号は、時刻分散チャネル上の一点の送信のように見える。ＬＴＥにおいて、このタイプの送信は、ＭＢＭＳ単一周波数ネットワーク（ＭＢＳＦＮ：ＭＢＭＳ  Ｓｉｎｇｌｅ  Ｆｒｅｑｕｅｎｃｙ  Ｎｅｔｗｏｒｋ）と呼ばれる。ＭＢＳＦＮの長所は、向上した受信信号強度、同じＭＢＳＦＮエリア内のセルの境界における低減された干渉、および複数のノードから受信することによるさらなるダイバーシティを含む。
【０００４】
マルチキャストのためのトランスポートチャネルは、マルチキャストチャネル（ＭＣＨ：ｍｕｌｔｉｃａｓｔ  ｃｈａｎｎｅｌ）と呼ばれ、このチャネルは、マルチキャストトラフィックチャネル（ＭＴＣＨ：Ｍｕｌｔｉｃａｓｔ  Ｔｒａｆｆｉｃ  Ｃｈａｎｎｅｌ）、およびマルチキャスト制御チャネル（ＭＣＣＨ：Ｍｕｌｔｉｃａｓｔ  Ｃｏｎｔｒｏｌ  Ｃｈａｎｎｅｌ）という２つの論理チャネルを含む。名前が示すように、ＭＴＣＨはＭＢＭＳデータを搬送する一方で、ＭＣＣＨは制御情報を搬送する。ＭＣＨは、物理マルチキャストチャネル（ＰＭＣＨ：Ｐｈｙｓｉｃａｌ  Ｍｕｌｔｉｃａｓｔ  Ｃｈａｎｎｅｌ）にマッピングされ、これはその後、ＭＢＳＦＮサブフレームの中で送信される。図１は、論理チャネル、トランスポートチャネル、および物理チャネルを横断するＭＢＳＦＮチャネルのマッピングの例を示す。
【０００５】
ＭＢＭＳは、ＭＢＭＳ専用搬送波周波数上で、または共有搬送波周波数上で提供されることが可能である（すなわちＭＢＭＳとユニキャストの間で共有される、言い換えると、ＭＢＳＦＮサブフレームと非ＭＢＳＦＮサブフレームの両方の間で搬送波周波数を共有する）。前者のシナリオ（ＭＢＭＳ専用搬送波周波数）において、全てのサブフレームは、ＭＢＭＳ信号伝送のために使用されることが可能である。後者のシナリオ（共有搬送波周波数）において、ＭＢＭＳは、時分割多重でユニキャスト（すなわち非ＭＢＳＦＮサブフレーム）サービスと共有され、すなわち、ＭＢＭＳサービスおよびユニキャストサービスのために無線フレーム内の異なるサブフレームが使用される。ＭＢＭＳサブフレームは、ネットワークノードによって設定可能である。セル内のＭＢＭＳのためにどのサブフレームが設定されるかに関する情報は、ネットワークノードによって信号で送られる。ＭＢＭのために、すなわちＭＢＳＦＮサブフレームとして設定されることが可能なサブフレームの例は、ＬＴＥの周波数分割複信（ＦＤＤ：Ｆｒｅｑｕｅｎｃｙ  Ｄｉｖｉｓｉｏｎ  Ｄｕｐｌｅｘ）のためのサブフレーム番号１、２、３、６、７、および８、ならびにＬＴＥの時分割複信（ＴＤＤ：Ｔｉｍｅ  Ｄｉｖｉｓｉｏｎ  Ｄｕｐｌｅｘ）のためのサブフレーム番号３、４、７、８、および９である。これは、サブフレーム番号０およびサブフレーム番号５が、ＦＤＤとＴＤＤの両方において常にユニキャストサブフレームであることを意味する。さらに、ＬＴＥのＦＤＤの場合のサブフレーム番号４および９、ならびにＬＴＥのＴＤＤの場合のサブフレーム番号１、２、および６も、ユニキャストサブフレームである。ユニキャストサブフレームは、ユニキャストサービスのためにだけ使用される。
【０００６】
ＭＢＳＦＮサブフレームは、当初の制御領域、およびＭＣＨの送信のために使用されるＭＢＳＦＮ領域を含む。制御領域は、例えば４．７μｓサイクリックプレフィックス長を使用する長さ１または２の直交周波数分割多重（ＯＦＤＭ）シンボル、および内容に応じて様々な構造を有することが可能なＭＢＳＦＮ領域を有する。
【０００７】
ＭＢＳＦＮ信号の物理層は、（混合モードとしても知られる共有モードにおける）拡張サイクリックプレフィックス１６．７μｓの１５ｋＨｚサブキャリア間隔、または（専用モードにおける）長いサイクリックプレフィックス３３．３μｓの７．５ｋＨｚサブキャリア間隔を有するＯＦＤＭに基づく。
【０００８】
エボルブドＮｏｄｅＢ（ｅＮＢ）などの基地局は、マルチセル／マルチキャスト整合エンティティ（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）と呼ばれるネットワークエンティティによってＭＢＭＳのスケジュール情報を用いて設定される。ＭＣＥは、個別のネットワークノードであることが可能であり、またｅＮＢの中にあることが可能である。ＭＣＥとｅＮＢは、Ｍ２インターフェース上で通信する。Ｍ２インターフェースは、ｅＮＢとＭＣＥの間の論理インターフェースである。
【０００９】
エボルブドマルチメディアブロードキャストマルチキャストサービス拡張
Ｒｅｌ−１４の拡張ユニバーサル地上無線アクセス（Ｅ−ＵＴＲＡ）において、大きなサイト間距離のシナリオにおけるＭＢＭＳのより効率的な使用のためにさらなる拡張がもたらされる。Ｒｅｌ−１４のエボルブドマルチメディアブロードキャストマルチキャストサービス（ｅＭＢＭＳ：ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ）において、サイクルプレフィックス（ＣＰ：Ｃｙｃｌｅ  Ｐｒｅｆｉｘ）長２００μｓの新しいシンボル長８００μｓが採用されることになることが合意された。新しい１．２５ｋＨｚのサブキャリア間隔ヌメロロジーと、７．５ｋＨｚのサブキャリア間隔の両方に対して、ユーザ機器（ＵＥ：Ｕｓｅｒ  Ｅｑｕｉｐｍｅｎｔ）などの無線デバイスは、ＭＢＳＦＮサブフレーム内にユニキャスト制御領域が決して存在しないことを仮定することができる。１５ｋＨｚ、７．５ｋＨｚ、および１．２５ｋＨｚのヌメロロジーをサポートする専用モードに対して、システム情報（ＳＩ：Ｓｙｓｔｅｍ  Ｉｎｆｏｒｍａｔｉｏｎ）は、固定周期４０ｍｓの参照信号の開示に基づいてセル取得サブフレーム（ＣＡＳ：Ｃｅｌｌ  Ａｃｑｕｉｓｉｔｉｏｎ  Ｓｕｂｆｒａｍｅ）内でブロードキャストされる。
【００１０】
１５ｋＨｚ、および１．２５ｋＨｚのヌメロロジーをサポートする（７．５ｋＨｚも追加されることになる可能性がある）混合モードに対して、ＳＩは、ユニキャスト制御領域を有するサブフレーム内で提供される。動作のこのようなモードは、増加した数のＭＢＳＦＮサブフレームを使用することを意味する（サブフレーム０および５は常に非ＭＢＳＦＮになり、サブフレーム４および９がＭＢＳＦＮサブフレームとして設定される場合、２次セル（ＳＣｅｌｌ）としてセルが設定されることになる）。
【００１１】
新しい無線
第３世代パートナーシッププロジェクト（３ＧＰＰ）において現在研究されている新しい無線（ＮＲ：Ｎｅｗ  ｒａｄｉｏ）は、複数のサブキャリア間隔をサポートすることができる。現在、２ｎ×１５ｋＨｚに等しいサブキャリア間隔のサポートが考えられており、ここでｎは、負または正の整数であることが可能である。ｎの例は、−２、−１、１、２、３、４、等である。ＮＲにおいて使用されることが可能なサブキャリア間隔の例は、３．７５ｋＨｚ、７．５ｋＨｚ、１５ｋＨｚ、３０ｋＨｚ、６０ｋＨｚ、１２０ｋＨｚ、２４０ｋＨｚ、４８０ｋＨｚ、等である。また、図２において示されるように、同じキャリア上で周波数多重化された混合ヌメロロジー（Δｆ１、Δｆ２）がサポートされる。
【００１２】
混合ヌメロロジーを有するＮＲに対する１つの可能なシナリオは、一定期間、例えばΔｆ１といった１つのヌメロロジーが使用されるが、用途、環境、等の変化により、しばらく後、異なるサブキャリア間隔、すなわちΔｆ２で通信が行われるというものである。
【００１３】
電子スイッチにおける（「遷移時間（ｔｒａｎｓｉｅｎｔ  ｔｉｍｅ）」、「ランプアップ時間／ランプダウン時間」、等としても知られる）立ち上がり時間および立ち下がり時間等などのデバイスの物理属性により、ヌメロロジー間でスイッチングがどれだけすばやく行われることが可能であるかについて、一定の制限がある。異なる制限および能力のネットワークノードおよび端末を有するセルラーネットワークにおいて、ヌメロロジー間のスイッチングがどのように行われる可能性があるかは不明瞭である。どの種類のノードがこの動作を行わなければならないかということに加えて、この動作が、送信器側におけるスイッチングであるか、受信器側におけるスイッチングであるかによって異なる問題が生じる可能性がある。別の問題は、異なるヌメロロジーが使用される可能性のある異なる動作モード間、すなわちユニキャストとマルチキャストの間でのスイッチングである。
【００１４】
異なるヌメロロジー間のスイッチングも、能力の最適化とパフォーマンスの確実性との間のトレードオフを要する。例えば、（通常、シンボルあたりのより低いサブキャリア間隔およびより高いデータレートも意味する）より長いＣＰを必要とするチャネル条件の変化によってのみヌメロロジーのスイッチングが誘発される場合、適用の割合とシンボルの割合との適合が必要とされ、能力損失を生じる可能性がある。さらに、新しいヌメロロジーパラメータが標準スロットおよびサブフレーム構造に完全に一致しない場合、また、異なるサイクリックプレフィックスのシンボル間で、整数の数のシンボルが１つのスロットまたは１つのサブフレームに一致することを保証するために、同じ無線リソース（スロットまたはサブフレーム）内でヌメロロジーが多重化されるとき、送信ギャップが必要になる可能性があるということが考慮されなければならない。例えば、ｅＭＢＭＳサブフレームの制御領域とデータ領域の間に送信ギャップがある。３．７５ｋＨｚのサブキャリア間隔が採用されるとき、狭帯域のモノのインターネット（ＮＢ−ＩｏＴ：Ｎａｒｒｏｗ  Ｂａｎｄ−Ｉｎｔｅｒｎｅｔ  ｏｆ  Ｔｈｉｎｇｓ）のスロットにギャップが存在し、ここで２ｍｓのスロット長の中から１９２５μｓを７個のＯＦＤＭシンボルがカバーする。
【発明の概要】
【００１５】
いくつかの実施形態は、都合のよいことに、少なくとも１つのネットワークノードのスイッチング能力に基づいて、異なるヌメロロジー間でスイッチングするための方法および装置を提供する。
【００１６】
本開示は、本明細書で説明されるような、無線デバイス、ネットワークノード、ならびに無線デバイスおよびネットワークノードにおける方法に関するいくつかの実施形態を含む。
【００１７】
１つの態様によれば、ネットワークノードによってサポートされる異なるヌメロロジー間でスイッチングするためのネットワークノードにおける方法が提供される。方法は、第１のヌメロロジーで動作する第１の信号と第２のヌメロロジーで動作する第２の信号との間でスイッチングするために、ネットワークノードによって使用されることが可能な少なくとも１つのパラメータを判断することと、少なくとも１つのパラメータに基づいて第１の信号と第２の信号の間でスイッチングすることと、スイッチング後に、ネットワークノードと第２のノードの間で第１の信号および第２の信号のうちの少なくとも１つを動作させることと、を含む。
【００１８】
本態様によれば、いくつかの実施形態において、少なくとも１つのパラメータは、スイッチングによる割込時間を含む。いくつかの実施形態において、少なくとも１つのパラメータは、スイッチングによる最大許容割込時間に対応する所定の値を含む。いくつかの実施形態において、少なくとも１つのパラメータは、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む。いくつかの実施形態において、第１のヌメロロジーは、第１のサブキャリア間隔であり、第２のヌメロロジーは、第２のサブキャリア間隔であり、第２のサブキャリア間隔は、第１のサブキャリア間隔とは異なる。いくつかの実施形態において、方法は、異なるヌメロロジーを有するマルチキャストに隣接した少なくとも１つのサブフレームにおけるダウンリンク送信およびアップリンク送信のうちの少なくとも１つのスケジューリングを制限することをさらに含む。いくつかの実施形態において、ネットワークノードと第２のノードの間で第１の信号および第２の信号のうちの少なくとも１つを動作させることは、第１の信号および第２の信号のうちの少なくとも１つを第２のノードに送信することと、第１の信号および第２の信号のうちの少なくとも１つを第２のノードから受信することと、のうちの少なくとも１つを含む。いくつかの実施形態において、第２のノードは、無線デバイスである。いくつかの実施形態において、方法は、第２のノードおよび別のノードのうちの少なくとも１つから少なくとも１つのパラメータに関する情報を受信することを含み、少なくとも１つのパラメータに基づいて第１の信号と第２の信号の間でスイッチングすることは、少なくとも１つのパラメータに関する受信された情報に少なくとも基づいて第１の信号と第２の信号の間でスイッチングすることを含む。いくつかの実施形態において、第１の信号と第２の信号の間でスイッチングすることは、第２のノードによってサポートされるヌメロロジーにさらに基づく。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００１９】
別の態様によれば、ネットワークノードによってサポートされる異なるヌメロロジー間でスイッチングするように設定されたネットワークノードが提供される。ネットワークノードは、第１のヌメロロジーで動作する第１の信号と第２のヌメロロジーで動作する第２の信号との間でスイッチングするために、ネットワークノードによって使用されることが可能な少なくとも１つのパラメータを判断することと、少なくとも１つのパラメータに基づいて第１の信号と第２の信号の間でスイッチングすることと、スイッチング後に、ネットワークノードと第２のノードの間で第１の信号および第２の信号のうちの少なくとも１つを動作させることと、を行うように設定された処理回路機器を含む。
【００２０】
本態様によれば、いくつかの実施形態において、少なくとも１つのパラメータは、スイッチングによる割込時間を含む。いくつかの実施形態において、少なくとも１つのパラメータは、スイッチングによる最大許容割込時間に対応する所定の値を含む。いくつかの実施形態において、少なくとも１つのパラメータは、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む。いくつかの実施形態において、第１のヌメロロジーは、第１のサブキャリア間隔であり、第２のヌメロロジーは、第２のサブキャリア間隔であり、第２のサブキャリア間隔は、第１のサブキャリア間隔とは異なる。いくつかの実施形態において、処理回路機器は、異なるヌメロロジーを有するマルチキャストに隣接した少なくとも１つのサブフレームにおけるダウンリンク送信およびアップリンク送信のうちの少なくとも１つのスケジューリングを制限するようにさらに設定される。いくつかの実施形態において、ネットワークノードは、処理回路機器と通信する通信インターフェースを含み、処理回路機器は、第１の信号および第２の信号のうちの少なくとも１つを第２のノードに送信することを通信インターフェースに行わせること、ならびに第１の信号および第２の信号のうちの少なくとも１つを第２のノードから受信することを通信インターフェースに行わせること、のうちの少なくとも１つによって、ネットワークノードと第２のノードの間で第１の信号および第２の信号のうちの少なくとも１つを動作させるように設定される。いくつかの実施形態において、第２のノードは、無線デバイスである。いくつかの実施形態において、ネットワークノードは、処理回路機器と通信する通信インターフェースをさらに含み、処理回路機器は、第２のノードおよび別のノードのうちの少なくとも１つから少なくとも１つのパラメータに関する情報を受信すること、ならびに少なくとも１つのパラメータに関する受信された情報に少なくとも基づいて第１の信号と第２の信号の間でスイッチングすること、を通信インターフェースに行わせるように設定される。いくつかの実施形態において、処理回路機器は、第２のノードによってサポートされるヌメロロジーに基づいて第１の信号と第２の信号の間でスイッチングするようにさらに設定される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００２１】
さらに別の態様によれば、無線デバイスによってサポートされる異なるヌメロロジー間でスイッチングするための無線デバイスにおける方法が提供される。方法は、第１のヌメロロジーで動作する第１の信号と第２のヌメロロジーで動作する第２の信号との間でスイッチングするために、無線デバイスによって使用されることが可能な少なくとも１つのパラメータを判断することと、少なくとも１つのパラメータに基づいて第１の信号と第２の信号の間でスイッチングすることと、スイッチング後に、無線デバイスと第２のノードの間で第１の信号および第２の信号のうちの少なくとも１つを動作させることと、を含む。
【００２２】
本態様によれば、いくつかの実施形態において、少なくとも１つのパラメータは、スイッチングによる割込時間を含む。いくつかの実施形態において、少なくとも１つのパラメータは、スイッチングによる最大許容割込時間に対応する所定の値を含む。いくつかの実施形態において、少なくとも１つのパラメータは、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む。いくつかの実施形態において、第１のヌメロロジーは、第１のサブキャリア間隔であり、第２のヌメロロジーは、第２のサブキャリア間隔であり、第２のサブキャリア間隔は、第１のサブキャリア間隔とは異なる。いくつかの実施形態において、方法は、異なるヌメロロジーを有するマルチキャストに隣接した少なくとも１つのサブフレームにおけるダウンリンク送信およびアップリンク送信のうちの少なくとも１つのスケジューリングを制限することをさらに含む。いくつかの実施形態において、ネットワークノードと第２のノードの間で第１の信号および第２の信号のうちの少なくとも１つを動作させることは、第１の信号および第２の信号のうちの少なくとも１つを第２のノードに送信することと、第１の信号および第２の信号のうちの少なくとも１つを第２のノードから受信することと、のうちの少なくとも１つを含む。いくつかの実施形態において、第２のノードは、第２の無線デバイス、およびネットワークノードのうちの１つである。いくつかの実施形態において、方法は、第２のノードおよび別のノードのうちの少なくとも１つから少なくとも１つのパラメータに関する情報を受信することをさらに含み、少なくとも１つのパラメータに基づいて第１の信号と第２の信号の間でスイッチングすることは、少なくとも１つのパラメータに関する受信された情報に少なくとも基づいて第１の信号と第２の信号の間でスイッチングすることを含む。いくつかの実施形態において、第１の信号と第２の信号の間でスイッチングすることは、第２のノードによってサポートされるヌメロロジーにさらに基づく。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００２３】
別の態様によれば、無線デバイスによってサポートされる異なるヌメロロジー間でスイッチングするように設定された無線デバイスが提供される。無線デバイスは、第１のヌメロロジーで動作する第１の信号と第２のヌメロロジーで動作する第２の信号との間でスイッチングするために、ネットワークノードによって使用されることが可能な少なくとも１つのパラメータを判断することと、少なくとも１つのパラメータに基づいて第１の信号と第２の信号の間でスイッチングすることと、スイッチング後に、ネットワークノードと第２のノードの間で第１の信号および第２の信号のうちの少なくとも１つを動作させることと、を行うように設定された処理回路機器を含む。
【００２４】
本態様によれば、いくつかの実施形態において、少なくとも１つのパラメータは、スイッチングによる割込時間を含む。いくつかの実施形態において、少なくとも１つのパラメータは、スイッチングによる最大許容割込時間に対応する所定の値を含む。いくつかの実施形態において、少なくとも１つのパラメータは、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む。いくつかの実施形態において、第１のヌメロロジーは、第１のサブキャリア間隔であり、第２のヌメロロジーは、第２のサブキャリア間隔であり、第２のサブキャリア間隔は、第１のサブキャリア間隔とは異なる。いくつかの実施形態において、処理回路機器は、異なるヌメロロジーを有するマルチキャストに隣接した少なくとも１つのサブフレームにおけるダウンリンク送信およびアップリンク送信のうちの少なくとも１つのスケジューリングを制限するようにさらに設定される。いくつかの実施形態において、無線デバイスは、処理回路機器と通信する通信インターフェースを含み、処理回路機器は、第１の信号および第２の信号のうちの少なくとも１つを第２のノードに送信することを通信インターフェースに行わせること、ならびに第１の信号および第２の信号のうちの少なくとも１つを第２のノードから受信することを通信インターフェースに行わせること、のうちの少なくとも１つによって、ネットワークノードと第２のノードの間で第１の信号および第２の信号のうちの少なくとも１つを動作させることを行うように設定される。いくつかの実施形態において、第２のノードは、第２の無線デバイス、およびネットワークノードのうちの１つである。いくつかの実施形態において、無線デバイスは、処理回路機器と通信する通信インターフェースを含み、処理回路機器は、第２のノードおよび別のノードのうちの少なくとも１つから少なくとも１つのパラメータに関する情報を受信すること、ならびに少なくとも１つのパラメータに関する受信された情報に少なくとも基づいて第１の信号と第２の信号の間でスイッチングすること、を通信インターフェースに行わせること、を行うように設定される。いくつかの実施形態において、処理回路機器は、第２のノードによってサポートされるヌメロロジーに基づいて第１の信号と第２の信号の間でスイッチングするようにさらに設定される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００２５】
別の態様によれば、ネットワークノードおよび第２のノードによってサポートされる異なるヌメロロジー間でスイッチングするためのネットワークノードにおける方法が提供される。方法は、第１のヌメロロジーで動作する第１の信号と第２のヌメロロジーで動作する第２の信号との間でスイッチングするために、ネットワークノードによって使用される少なくとも１つの第１のパラメータを判断することと、第１のヌメロロジーで動作する第１の信号と第２のヌメロロジーで動作する第２の信号との間でスイッチングするために、第２のノードによって使用される少なくとも１つの第２のパラメータを判断することと、少なくとも１つの第１のパラメータおよび少なくとも１つの第２のパラメータのうちの少なくとも１つについての関数である第３のパラメータを判断することと、少なくとも１つの動作タスクのために第３のパラメータを使用することと、を含む。
【００２６】
本態様によれば、いくつかの実施形態において、少なくとも１つの第１のパラメータおよび少なくとも１つの第２のパラメータのうちの少なくとも１つは、スイッチングによる割込時間を含む。いくつかの実施形態において、少なくとも１つの第１のパラメータおよび少なくとも１つの第２のパラメータのうちの少なくとも１つは、スイッチングによる最大許容割込時間に対応する所定の値を含む。いくつかの実施形態において、少なくとも１つの第１のパラメータの値は、少なくとも１つの第２のパラメータの値と同じである。いくつかの実施形態において、少なくとも１つの第１のパラメータの値は、少なくとも１つの第２のパラメータの値とは異なる。
【００２７】
本態様によれば、いくつかの実施形態において、少なくとも１つの第２のパラメータは、所定の情報、別のノードからの第２のノードと関連付けられた少なくとも１つの第２のパラメータについての受信情報、統計データおよび履歴データのうちの少なくとも１つ、ならびに第２のノードからのフィードバック、のうちの少なくとも１つに基づいて判断されるパラメータを含む。いくつかの実施形態において、少なくとも１つの動作タスクは、第３のパラメータの判断された値に関する情報で第２のノードを設定することと、第３のパラメータの判断された値に関する情報を送信することと、第２のノードと交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。いくつかの実施形態において、少なくとも１つの動作タスクは、第１の信号および第２の信号のうちの少なくとも１つを第２のノードに送信することと、第１の信号および第２の信号のうちの少なくとも１つを第２のノードから受信することと、のうちの少なくとも１つを含む。いくつかの実施形態において、第２のノードは、無線デバイスである。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００２８】
１つの態様によれば、ネットワークノードおよび第２のノードによってサポートされる異なるヌメロロジー間でスイッチングするように設定されたネットワークノードが提供される。ネットワークノードは、第１のヌメロロジーで動作する第１の信号と第２のヌメロロジーで動作する第２の信号との間でスイッチングするために、ネットワークノードによって使用される少なくとも１つの第１のパラメータを判断することと、第１のヌメロロジーで動作する第１の信号と第２のヌメロロジーで動作する第２の信号との間でスイッチングするために、第２のノードによって使用される少なくとも１つの第２のパラメータを判断することと、少なくとも１つの第１のパラメータおよび少なくとも１つの第２のパラメータのうちの少なくとも１つについての関数である第３のパラメータを判断することと、少なくとも１つの動作タスクのために第３のパラメータを使用することと、を行うように設定された処理回路機器を含む。
【００２９】
本態様によれば、いくつかの実施形態において、少なくとも１つの第１のパラメータおよび少なくとも１つの第２のパラメータのうちの少なくとも１つは、スイッチングによる割込時間を含む。いくつかの実施形態において、少なくとも１つの第１のパラメータおよび少なくとも１つの第２のパラメータのうちの少なくとも１つは、スイッチングによる最大許容割込時間に対応する所定の値を含む。いくつかの実施形態において、少なくとも１つの第１のパラメータの値は、少なくとも１つの第２のパラメータの値と同じである。いくつかの実施形態において、少なくとも１つの第１のパラメータの値は、少なくとも１つの第２のパラメータの値とは異なる。いくつかの実施形態において、少なくとも１つの第２のパラメータは、所定の情報、別のノードからの第２のノードと関連付けられた少なくとも１つの第２のパラメータについての受信情報、統計データおよび履歴データのうちの少なくとも１つ、ならびに第２のノードからのフィードバック、のうちの少なくとも１つに基づいて判断されるパラメータを含む。いくつかの実施形態において、少なくとも１つの動作タスクは、第３のパラメータの判断された値に関する情報で第２のノードを設定することと、第３のパラメータの判断された値に関する情報を送信することと、第２のノードと交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。いくつかの実施形態において、少なくとも１つの動作タスクは、第１の信号および第２の信号のうちの少なくとも１つを第２のノードに送信することと、第１の信号および第２の信号のうちの少なくとも１つを第２のノードから受信することと、のうちの少なくとも１つを含む。いくつかの実施形態において、第２のノードは、無線デバイスである。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００３０】
別の態様によれば、無線デバイスおよび第２のノードによってサポートされる異なるヌメロロジー間でスイッチングするための無線デバイスにおける方法が提供される。方法は、第１のヌメロロジーで動作する第１の信号と第２のヌメロロジーで動作する第２の信号との間でスイッチングするために、無線デバイスによって使用される少なくとも１つの第１のパラメータを判断することと、第１のヌメロロジーで動作する第１の信号と第２のヌメロロジーで動作する第２の信号との間でスイッチングするために、第２のノードによって使用される少なくとも１つの第２のパラメータを判断することと、少なくとも１つの第１のパラメータおよび少なくとも１つの第２のパラメータのうちの少なくとも１つについての関数である第３のパラメータを判断することと、少なくとも１つの動作タスクのために第３のパラメータを使用することと、を含む。
【００３１】
本態様によれば、いくつかの実施形態において、少なくとも１つの第１のパラメータおよび少なくとも１つの第２のパラメータのうちの少なくとも１つは、スイッチングによる割込時間を含む。いくつかの実施形態において、少なくとも１つの第１のパラメータおよび少なくとも１つの第２のパラメータのうちの少なくとも１つは、スイッチングによる最大許容割込時間に対応する所定の値を含む。いくつかの実施形態において、少なくとも１つの第１のパラメータの値は、少なくとも１つの第２のパラメータの値と同じである。いくつかの実施形態において、少なくとも１つの第１のパラメータの値は、少なくとも１つの第２のパラメータの値とは異なる。いくつかの実施形態において、少なくとも１つの第２のパラメータは、所定の情報、別のノードからの第２のノードと関連付けられた少なくとも１つの第２のパラメータについての受信情報、統計データおよび履歴データのうちの少なくとも１つ、ならびに第２のノードからのフィードバック、のうちの少なくとも１つに基づいて判断されるパラメータを含む。いくつかの実施形態において、少なくとも１つの動作タスクは、第３のパラメータの判断された値に関する情報で第２のノードを設定することと、第３のパラメータの判断された値に関する情報を送信することと、第２のノードと交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。いくつかの実施形態において、少なくとも１つの動作タスクは、第１の信号および第２の信号のうちの少なくとも１つを第２のノードに送信することと、第１の信号および第２の信号のうちの少なくとも１つを第２のノードから受信することと、のうちの少なくとも１つを含む。いくつかの実施形態において、第２のノードは、第２の無線デバイスである。いくつかの実施形態において、第２のノードは、ネットワークノードである。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００３２】
１つの態様によれば、無線デバイスおよび第２のノードによってサポートされる異なるヌメロロジー間でスイッチングするように設定された無線デバイスが提供される。無線デバイスは、第１のヌメロロジーで動作する第１の信号と第２のヌメロロジーで動作する第２の信号との間でスイッチングするために、無線デバイスによって使用される少なくとも１つの第１のパラメータを判断することと、第１のヌメロロジーで動作する第１の信号と第２のヌメロロジーで動作する第２の信号との間でスイッチングするために、第２のノードによって使用される少なくとも１つの第２のパラメータを判断することと、少なくとも１つの第１のパラメータおよび少なくとも１つの第２のパラメータのうちの少なくとも１つについての関数である第３のパラメータを判断することと、少なくとも１つの動作タスクのために第３のパラメータを使用することと、を行うように設定された処理回路機器を含む。
【００３３】
本態様によれば、いくつかの実施形態において、少なくとも１つの第１のパラメータおよび少なくとも１つの第２のパラメータのうちの少なくとも１つは、スイッチングによる割込時間を含む。いくつかの実施形態において、少なくとも１つの第１のパラメータおよび少なくとも１つの第２のパラメータのうちの少なくとも１つは、スイッチングによる最大許容割込時間に対応する所定の値を含む。いくつかの実施形態において、少なくとも１つの第１のパラメータの値は、少なくとも１つの第２のパラメータの値と同じである。いくつかの実施形態において、少なくとも１つの第１のパラメータの値は、少なくとも１つの第２のパラメータの値とは異なる。いくつかの実施形態において、少なくとも１つの第２のパラメータは、所定の情報、別のノードからの第２のノードと関連付けられた少なくとも１つの第２のパラメータについての受信情報、統計データおよび履歴データのうちの少なくとも１つ、ならびに第２のノードからのフィードバック、のうちの少なくとも１つに基づいて判断される。いくつかの実施形態において、少なくとも１つの動作タスクは、第３のパラメータの判断された値に関する情報で第２のノードを設定することと、第３のパラメータの判断された値に関する情報を送信することと、第２のノードと交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。いくつかの実施形態において、少なくとも１つの動作タスクは、第１の信号および第２の信号のうちの少なくとも１つを第２のノードに送信することと、第１の信号および第２の信号のうちの少なくとも１つを第２のノードから受信することと、のうちの少なくとも１つを含む。いくつかの実施形態において、第２のノードは、第２の無線デバイスである。いくつかの実施形態において、第２のノードは、ネットワークノードである。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００３４】
別の態様によれば、ネットワークノードおよび別のノードによってサポートされる異なるヌメロロジー間でスイッチングするためのネットワークノードにおける方法が提供される。方法は、第１のヌメロロジーで動作する第１の信号と第２のヌメロロジーで動作する第２の信号との間でスイッチングするために、ネットワークノードによって使用されることになる少なくとも１つの第１のパラメータに関する情報を他のノードから受信することと、少なくとも１つの第１のパラメータに関する受信された情報に少なくとも基づいて第１の信号と第２の信号の間でスイッチングすることと、スイッチング後に、ネットワークノードと他のノードの間で第１の信号および第２の信号のうちの少なくとも１つを動作させることと、を含む。
【００３５】
本態様によれば、いくつかの実施形態において、少なくとも１つの第１のパラメータは、スイッチングによる割込時間を含む。いくつかの実施形態において、少なくとも１つの第１のパラメータは、スイッチングによる最大許容割込時間に対応する所定の値を含む。いくつかの実施形態において、方法は、第１のヌメロロジーで動作する第１の信号と第２のヌメロロジーで動作する第２の信号との間でスイッチングするために、ネットワークノードによって使用される少なくとも１つの第２のパラメータに関する情報を他のノードに送信することをさらに含む。いくつかの実施形態において、他のノードに送信されるネットワークノードによって使用される少なくとも１つの第２のパラメータに関する情報は、他のノードによるリクエストを受信することに応答して送信される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００３６】
別の態様によれば、ネットワークノードおよび別のノードによってサポートされる異なるヌメロロジー間でスイッチングするように設定されたネットワークノードが提供される。ネットワークノードは、第１のヌメロロジーで動作する第１の信号と第２のヌメロロジーで動作する第２の信号との間でスイッチングするために、ネットワークノードによって使用されることになる少なくとも１つの第１のパラメータに関する情報を他のノードから受信するように設定された通信インターフェースと、少なくとも１つの第１のパラメータに関する受信された情報に少なくとも基づいて第１の信号と第２の信号の間でスイッチングすること、およびスイッチング後に、ネットワークノードと他のノードの間で第１の信号および第２の信号のうちの少なくとも１つを動作させること、を行うように設定された処理回路機器と、を含む。
【００３７】
本態様によれば、いくつかの実施形態において、少なくとも１つの第１のパラメータは、スイッチングによる割込時間を含む。いくつかの実施形態において、少なくとも１つの第１のパラメータは、スイッチングによる最大許容割込時間に対応する所定の値を含む。いくつかの実施形態において、通信インターフェースは、第１のヌメロロジーで動作する第１の信号と第２のヌメロロジーで動作する第２の信号との間でスイッチングするために、ネットワークノードによって使用される少なくとも１つの第２のパラメータに関する情報を他のノードに送信するようにさらに設定される。いくつかの実施形態において、他のノードに送信されるネットワークノードによって使用される少なくとも１つの第２のパラメータに関する情報は、他のノードによるリクエストを受信することに応答して送信される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００３８】
別の態様によれば、無線デバイスおよび別のノードによってサポートされる異なるヌメロロジー間でスイッチングするための無線デバイスにおける方法が提供される。方法は、第１のヌメロロジーで動作する第１の信号と第２のヌメロロジーで動作する第２の信号との間でスイッチングするために、無線デバイスによって使用されることになる少なくとも１つの第１のパラメータに関する情報を他のノードから受信することと、少なくとも１つの第１のパラメータに関する受信された情報に少なくとも基づいて第１の信号と第２の信号の間でスイッチングすることと、スイッチング後に、無線デバイスと他のノードの間で第１の信号および第２の信号のうちの少なくとも１つを動作させることと、を含む。
【００３９】
本態様によれば、いくつかの実施形態において、少なくとも１つの第１のパラメータは、スイッチングによる割込時間を含む。いくつかの実施形態において、少なくとも１つの第１のパラメータは、スイッチングによる最大許容割込時間に対応する所定の値を含む。いくつかの実施形態において、方法は、第１のヌメロロジーで動作する第１の信号と第２のヌメロロジーで動作する第２の信号との間でスイッチングするために、無線デバイスによって使用される少なくとも１つの第２のパラメータに関する情報を他のノードに送信することをさらに含む。いくつかの実施形態において、他のノードに送信される無線デバイスによって使用される少なくとも１つの第２のパラメータに関する情報は、他のノードによるリクエストを受信することに応答して送信される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００４０】
別の態様によれば、無線デバイスおよび別のノードによってサポートされる異なるヌメロロジー間でスイッチングするように設定された無線デバイスが提供される。無線デバイスは、第１のヌメロロジーで動作する第１の信号と第２のヌメロロジーで動作する第２の信号との間でスイッチングするために、無線デバイスによって使用されることになる少なくとも１つの第１のパラメータに関する情報を他のノードから受信するように設定された通信インターフェースと、少なくとも１つの第１のパラメータに関する受信された情報に少なくとも基づいて第１の信号と第２の信号の間でスイッチングすること、およびスイッチング後に、無線デバイスと他のノードの間で第１の信号および第２の信号のうちの少なくとも１つを動作させること、を行うように設定された処理回路機器と、を含む。
【００４１】
本態様によれば、いくつかの実施形態において、少なくとも１つの第１のパラメータは、スイッチングによる割込時間を含む。いくつかの実施形態において、少なくとも１つの第１のパラメータは、スイッチングによる最大許容割込時間に対応する所定の値を含む。いくつかの実施形態において、通信インターフェースは、第１のヌメロロジーで動作する第１の信号と第２のヌメロロジーで動作する第２の信号との間でスイッチングするために、無線デバイスによって使用される少なくとも１つの第２のパラメータに関する情報を他のノードに送信するようにさらに設定される。いくつかの実施形態において、他のノードに送信される無線デバイスによって使用される少なくとも１つの第２のパラメータに関する情報は、他のノードによるリクエストを受信することに応答して送信される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【００４２】
別の態様によれば、ネットワークノードによってサポートされる異なるヌメロロジー間でスイッチングするように設定されたネットワークノードが提供される。ネットワークノードは、第１のヌメロロジーで動作する第１の信号と第２のヌメロロジーで動作する第２の信号との間でスイッチングするために、ネットワークノードによって使用されることが可能な少なくとも１つのパラメータを判断するように設定されたパラメータ判断モジュールと、少なくとも１つのパラメータに基づいて第１の信号と第２の信号の間でスイッチングするように設定された信号スイッチモジュールと、スイッチング後に、ネットワークノードと第２のノードの間で第１の信号および第２の信号のうちの少なくとも１つを動作させるように設定された信号動作モジュールと、を含む。
【００４３】
別の態様によれば、無線デバイスによってサポートされる異なるヌメロロジー間でスイッチングするように設定された無線デバイスが提供される。無線デバイスは、第１のヌメロロジーで動作する第１の信号と第２のヌメロロジーで動作する第２の信号との間でスイッチングするために、無線デバイスによって使用されることが可能な少なくとも１つのパラメータを判断するように設定されたパラメータ判断モジュールと、少なくとも１つのパラメータに基づいて第１の信号と第２の信号の間でスイッチングするように設定された信号スイッチモジュールと、スイッチング後に、無線デバイスと第２のノードの間で第１の信号および第２の信号のうちの少なくとも１つを動作させるように設定された信号動作モジュールと、を含む。
【００４４】
さらに別の態様によれば、ネットワークノードによってサポートされる異なるヌメロロジー間でスイッチングするように設定されたネットワークノードが提供される。ネットワークノードは、第１のヌメロロジーで動作する第１の信号と第２のヌメロロジーで動作する第２の信号との間でスイッチングするために、ネットワークノードによって使用される少なくとも１つの第１のパラメータを判断すること、第１のヌメロロジーで動作する第１の信号と第２のヌメロロジーで動作する第２の信号との間でスイッチングするために、第２のノードによって使用される少なくとも１つの第２のパラメータを判断すること、ならびに少なくとも１つの第１のパラメータおよび少なくとも１つの第２のパラメータのうちの少なくとも１つについての関数である第３のパラメータを判断すること、を行うように設定されたパラメータ判断モジュールと、少なくとも１つの動作タスクのために第３のパラメータを使用するように設定されたパラメータ実行モジュールと、を含む。
【００４５】
さらに別の態様によれば、無線デバイスによってサポートされる異なるヌメロロジー間でスイッチングするように設定された無線デバイスが提供される。無線デバイスは、第１のヌメロロジーで動作する第１の信号と第２のヌメロロジーで動作する第２の信号との間でスイッチングするために、無線デバイスによって使用される少なくとも１つの第１のパラメータを判断すること、第１のヌメロロジーで動作する第１の信号と第２のヌメロロジーで動作する第２の信号との間でスイッチングするために、第２のノードによって使用される少なくとも１つの第２のパラメータを判断すること、ならびに少なくとも１つの第１のパラメータおよび少なくとも１つの第２のパラメータのうちの少なくとも１つについての関数である第３のパラメータを判断するように設定されたパラメータ判断モジュールと、少なくとも１つの動作タスクのために第３のパラメータを使用するように設定されたパラメータ実行モジュールと、を含む。
【００４６】
別の態様によれば、ネットワークノードおよび別のノードによってサポートされる異なるヌメロロジー間でスイッチングするように設定されたネットワークノードが提供される。ネットワークノードは、第１のヌメロロジーで動作する第１の信号と第２のヌメロロジーで動作する第２の信号との間でスイッチングするために、ネットワークノードによって使用されることになる少なくとも１つの第１のパラメータに関する情報を他のノードから受信するように設定された通信インターフェースモジュールと、少なくとも１つの第１のパラメータに関する受信された情報に少なくとも基づいて第１の信号と第２の信号の間でスイッチングするように設定された信号スイッチモジュールと、スイッチング後に、ネットワークノードと他のノードの間で第１の信号および第２の信号のうちの少なくとも１つを動作させるように設定された信号動作モジュールと、を含む。
【００４７】
別の態様によれば、無線デバイスおよび別のノードによってサポートされる異なるヌメロロジー間でスイッチングするように設定された無線デバイスが提供される。無線デバイスは、第１のヌメロロジーで動作する第１の信号と第２のヌメロロジーで動作する第２の信号との間でスイッチングするために、無線デバイスによって使用されることになる少なくとも１つの第１のパラメータに関する情報を他のノードから受信するように設定された通信インターフェースモジュールと、少なくとも１つの第１のパラメータに関する受信された情報に少なくとも基づいて第１の信号と第２の信号の間でスイッチングするように設定された信号スイッチモジュールと、スイッチング後に、無線デバイスと他のノードの間で第１の信号および第２の信号のうちの少なくとも１つを動作させるように設定された信号動作モジュールと、を含む。
【００４８】
本実施形態ならびに本実施形態の付随する長所および特徴のより完全な理解は、添付の図面と共に考慮されると、以下の詳細な説明を参照することによって、より容易に理解されるであろう。
【図面の簡単な説明】
【００４９】
【図１】ＭＢＳＦＮチャネルマッピングを示す既存の設定のブロック図である。
【図２】混合ヌメロロジーによる既存の新しい無線の設定のブロック図である。
【図３】本開示の原理による、異なるヌメロロジー間でスイッチングするように設定された例示的なネットワークノードのブロック図である。
【図４】本開示の原理による、異なるヌメロロジー間でスイッチングするように設定された例示的な無線デバイスのブロック図である。
【図５】本開示の原理による、ネットワークノードによってサポートされる異なるヌメロロジー間でスイッチングするように設定された代替ネットワークノードのブロック図である。
【図６】本開示の原理による、無線デバイスによってサポートされる異なるヌメロロジー間でスイッチングするように設定された代替無線デバイスのブロック図である。
【図７】本開示の原理による、ネットワークノードおよび第２のノードによってサポートされる異なるヌメロロジー間でスイッチングするように設定された代替ネットワークノードのブロック図である。
【図８】本開示の原理による、無線デバイスおよび第２のノードによってサポートされる異なるヌメロロジー間でスイッチングするように設定された代替無線デバイスのブロック図である。
【図９】本開示の原理による、ネットワークノードおよび別のノードによってサポートされる異なるヌメロロジー間でスイッチングするように設定された代替ネットワークノードのブロック図である。
【図１０】本開示の原理による、無線デバイスおよび別のノードによってサポートされる異なるヌメロロジー間でスイッチングするように設定された代替無線デバイスのブロック図である。
【図１１】本開示の原理による、異なるヌメロロジーを有する２つの異なるＯＦＤＭシンボルの例の図である。
【図１２】本開示の原理による、ヌメロロジー間のスイッチングに対する異なる制限を伴うスペクトルの２つの区画を示す図である。
【図１３】本開示の原理による、ネットワークノードのスイッチング能力に基づいて、異なるヌメロロジー間でスイッチングするためのネットワークノードによって行われるステップを示す流れ図である。
【図１４】本開示の原理による、無線デバイスのスイッチング能力に基づいて、異なるヌメロロジー間でスイッチングするための無線デバイスによって行われるステップを示す流れ図である。
【図１５】本開示の原理による、ネットワークノードのスイッチング能力に基づいて、異なるヌメロロジー間でスイッチングするためのネットワークノードによって行われるステップの代替実施形態を示す流れ図である。
【図１６】本開示の原理による、無線デバイスのスイッチング能力に基づいて、異なるヌメロロジー間でスイッチングするための無線デバイスによって行われるステップの代替実施形態を示す流れ図である。
【図１７】本開示の原理による、ネットワークノードおよび第２のノードのスイッチング能力に基づいて、異なるヌメロロジー間でスイッチングするためのネットワークノードによって行われるステップを示す流れ図である。
【図１８】本開示の原理による、無線デバイスおよび第２のノードのスイッチング能力に基づいて、異なるヌメロロジー間でスイッチングするための無線デバイスによって行われるステップを示す流れ図である。
【発明を実施するための形態】
【００５０】
例示的な実施形態を詳細に説明する前に、実施形態は、ヌメロロジーをスイッチングすることに関する装置の構成要素および処理ステップの組み合わせから主に成り立つということに留意されたい。したがって、構成要素は、図面において従来の記号によって必要に応じて表されており、本明細書における説明の恩恵を有する当業者には容易に明らかになるであろう詳細で本開示をあいまいにしないように、実施形態を理解することに関係する具体的詳細のみを示す。
【００５１】
本明細書で使用されるように、「第１」および「第２」、「最上部」および「最下部」、ならびに同様のものなどの関連用語は、このようなエンティティ間または要素間の任意の物理的または論理的な関係または順序を必ずしも必要とせずに、または意味せずに、１つのエンティティまたは要素を別のエンティティまたは要素と単に区別するために使用されることがある。
【００５２】
本明細書で使用される専門用語は、特定の実施形態のみを説明するためのものであり、本明細書で説明される概念の限定であることを意図するものではない。本明細書で使用されるように、単数形「１つの（ａ）」、「１つの（ａｎ）」、および「この（ｔｈｅ）」は、別途文脈がはっきり示さない限り、複数形も同様に含むことを意図するものである。用語「備える（ｃｏｍｐｒｉｓｅｓ）」、「備える（ｃｏｍｐｒｉｓｉｎｇ）」、「含む（ｉｎｃｌｕｄｅｓ）」、および／または「含む（ｉｎｃｌｕｄｉｎｇ）」は、本明細書で使用されるとき、述べられた特徴、整数、ステップ、動作、要素、および／または構成要素の存在を指定するが、１つもしくは複数の他の特徴、整数、ステップ、動作、要素、構成要素、および／またはこれらのグループの存在または追加を排除しないということがさらに理解されよう。
【００５３】
別途規定されない限り、本明細書で使用される全ての用語（技術用語および科学用語を含む）は、本開示が属する技術において当業者によって一般に理解されるものと同じ意味を有する。本明細書で使用される用語は、本明細書および関連技術の背景におけるこれらの意味と一致する意味を有するものとして解釈されるべきであり、本明細書においてそのように明確に規定されない限り、理想化された、または過度に正式な意味で解釈されることはないということがさらに理解されよう。
【００５４】
本明細書で説明される実施形態において、結合する用語「と通信して（ｉｎ  ｃｏｍｍｕｎｉｃａｔｉｏｎ  ｗｉｔｈ）」および同様のものは、例えば、物理的な接触、誘導、電磁放射、無線シグナリング、赤外線シグナリング、または光シグナリングによって行われることが可能な、電気通信またはデータ通信を示すために使用されることが可能である。複数の構成要素は相互動作することが可能であり、電気通信およびデータ通信を実現する修正および変形が可能であるということを当業者は理解するであろう。
【００５５】
本開示の詳細を説明する前に、いくつかの一般論が説明される。いくつかの実施形態において、用語「ネットワークノード」が使用される。基地局、第５世代（５Ｇ）基地局、ＮＲ基地局、ＮｏｄｅＢ、ｇＮｏｄｅＢまたはｅＮｏｄｅＢ、およびユーザ機器（ＵＥ）などの専門用語は、非限定的なものとして考慮すべきであり、２つの間の一定の階層関係を特に意味するわけではなく、一般に、「ＮｏｄｅＢ」は、デバイス１および「ＵＥ」デバイス２としてみなされることが可能であり、これらの２つのデバイスは、いくつかの無線チャネルで互いに通信するということに留意されたい。
【００５６】
ネットワークノードの例は、より一般的な用語であることが可能であり、無線デバイスおよび／または別のネットワークノードと通信する、任意のタイプの無線ネットワークノードまたは任意のネットワークノードに対応することが可能である。ネットワークノードの例は、ＮｏｄｅＢ、基地局（ＢＳ）、ＭＳＲ  Ｂなどのマルチスタンダード無線機（ＭＳＲ）の無線ノード、ｅＮｏｄｅＢ、ｇＮｏｄｅＢ、マスタエボルブドＮｏｄｅＢ（ＭｅＮＢ）、２次エボルブドＮｏｄｅＢ（ＳｅＮＢ）、送受信ポイント（ＴＲＰ）、ネットワークコントローラ、無線ネットワークコントローラ（ＲＮＣ）、基地局コントローラ（ＢＳＣ）、中継器、ドナーノード制御中継器、ベーストランシーバ基地局（ＢＴＳ）、アクセスポイント（ＡＰ）、伝送ポイント、送信ノード、リモートラジオユニット（ＲＲＵ）、リモート無線ヘッド（ＲＲＨ）、分散アンテナシステム（ＤＡＳ）におけるノード、コアネットワークノード（例えば、モバイル交換局（ＭＳＣ）、移動管理エンティティ（ＭＭＥ）、等）、運用保守（Ｏ＆Ｍ）、オペレーションサポートシステム（ＯＳＳ）、自己組織化ネットワーク（ＳＯＮ）、位置決めノード（例えば、エボルブドサービングモバイルロケーションセンタ（Ｅ−ＳＭＬＣ）、モバイルデータ端末（ＭＤＴ）ノード、マルチセル／マルチキャスト整合エンティティ（ＭＣＥ）、ＭＢＭＳノード、等である。
【００５７】
いくつかの実施形態において、総称的な専門用語「無線ネットワークノード」または単純に「ネットワークノード（ＮＷノード）」が使用される。これは、基地局、無線基地局、ベーストランシーバ基地局、基地局コントローラ、ネットワークコントローラ、エボルブドＮｏｄｅＢ（ｅＮＢ）、ＮｏｄｅＢ、中継ノード、アクセスポイント、無線アクセスポイント、リモートラジオユニット（ＲＲＵ）、リモート無線ヘッド（ＲＲＨ）、等を含むことができる任意の種類のネットワークノードであることが可能である。
【００５８】
非限定的な用語「無線デバイス」が本明細書で使用され、これは、セルラーまたは移動体通信システムにおける、ネットワークノードおよび／または別の無線デバイスと通信する任意のタイプの無線デバイスを指す。無線デバイスの例は、ＬＴＥのＵＥなどのユーザ機器（ＵＥ）、狭帯域のモノのインターネット（ＮＢ−ＩｏＴ）のＵＥ、車両対車両（Ｖ２Ｖ）のＵＥ、車両対何か（Ｖ２Ｘ：Ｖｅｈｉｃｌｅ−ｔｏ−ａｎｙｔｈｉｎｇ）のＵＥ、特定のカテゴリのＵＥ（例えば、ＵＥカテゴリＮＢ１、ＵＥカテゴリＭ１、ＵＥカテゴリ０、等）、ターゲットデバイス、デバイス間（Ｄ２Ｄ）無線デバイス、マシンタイプ無線デバイスまたはマシンツーマシン（Ｍ２Ｍ）通信の能力がある無線デバイス、パーソナルデジタルアシスタント（ＰＤＡ）、タブレット、モバイル端末、スマートフォン、ラップトップ組込型機器（ＬＥＥ：ｌａｐｔｏｐ  ｅｍｂｅｄｄｅｄ  ｅｑｕｉｐｐｅｄ）、ラップトップ搭載型機器（ＬＭＥ）、ユニバーサルシリアルバス（ＵＳＢ）ドングル、等である。
【００５９】
無線アクセス技術またはＲＡＴという用語は、例えば、ユニバーサル地上無線アクセス（ＵＴＲＡ）、拡張ユニバーサル地上無線アクセス（Ｅ−ＵＴＲＡ）、ＮＢ−ＩｏＴ、ＷｉＦｉ、Ｂｌｕｅｔｏｏｔｈ、次世代ＲＡＴ（ＮＲ）、４Ｇ、５Ｇ、等といった、任意のＲＡＴを指すことができる。第１のノードおよび第２のノードのいずれかは、単一のＲＡＴまたは複数のＲＡＴをサポートする能力がある可能性がある。
【００６０】
いくつかの実施形態において、動作帯域幅（ＢＷ：ｂａｎｄｗｉｄｔｈ）という用語が使用される。動作ＢＷ上で、ネットワークノードは、セル内の１つまたは複数の無線デバイスとの間で信号を送受信する。動作帯域幅は、チャネル帯域幅、システム帯域幅、伝送帯域幅、セル帯域幅、セル送信ＢＷ、キャリア帯域幅、等と区別なく呼ばれることが可能である。動作ＢＷは、様々な単位で表現されることが可能である。単位の例は、ｋＨｚ、ＭＨｚ、リソースブロック数、リソースエレメント数、サブキャリア数、物理チャネル数、周波数リソースユニット数、等である。ＲＡＴが動作する周波数チャネルまたは搬送波周波数は、例えばＬＴＥにおけるＥ−ＵＴＲＡのＡＲＦＣＮ（ＥＡＲＦＣＮ）等といった絶対無線周波数チャネル番号（ＡＲＦＣＮ）としても知られるチャネル番号によって数えられるか、アドレス指定される。
【００６１】
いくつかの実施形態において、使用される信号は、アップリンク（ＵＬ）信号、ダウンリンク（ＤＬ）信号、またはサイドリンク（ＳＬ）信号であることが可能である。無線デバイスによって送信されるアップリンク信号は、物理信号または物理チャネルであることが可能である。アップリンク物理信号の例は、サウンディング参照信号（ＳＲＳ）、復調用参照信号（ＤＭＲＳ）、等である。アップリンク物理チャネルの例は、物理アップリンク制御チャネル（ＰＵＣＣＨ）、物理アップリンク共有チャネル（ＰＵＳＣＨ）、狭帯域物理アップリンク共有チャネル（ＮＰＵＳＣＨ）、狭帯域物理アップリンク制御チャネル（ＮＰＵＣＣＨ）、物理ランダムアクセスチャネル（ＰＲＡＣＨ）、ＮＢ−ＩｏＴ物理ランダムアクセスチャネル（ＮＰＲＡＣＨ）、等である。ネットワークノードによって送信されるＤＬ信号は、物理信号または物理チャネルであることが可能である。ＤＬ物理信号の例は、セル固有参照信号（ＣＲＳ）、復調用参照信号（ＤＭＲＳ）、位置決め参照信号（ＰＲＳ）、チャネル状態情報参照信号（ＣＳＩ−ＲＳ）、等である。ダウンリンク物理チャネルの例は、物理ダウンリンク制御チャネル（ＰＤＣＣＨ）、物理ダウンリンク共有チャネル（ＰＤＳＣＨ）、狭帯域物理ダウンリンク共有チャネル（ＮＰＤＳＣＨ）、狭帯域物理ダウンリンク制御チャネル（ＮＰＤＣＣＨ）、物理マルチキャストチャネル（ＰＭＣＨ）、等である。いくつかの実施形態において、信号は、例えばユニキャスト送信の場合のような、ＰＭＣＨおよび／または非ＭＢＳＦＮサブフレームの場合のような、ＭＢＳＦＮサブフレームを含む。（Ｄ２Ｄ動作、Ｖ２Ｖ動作、等としても知られる）直接の無線デバイス対無線デバイス動作の能力がある無線デバイスによって送信されるサイドリンク（ＳＬ）信号は、物理信号または物理チャネルであることが可能である。ＳＬ物理信号の例は、サイドリンク同期信号（ＳＬＳＳ）、ＤＭＲＳ、等である。ＳＬ物理チャネルの例は、物理サイドリンク共有チャネル（ＰＳＳＣＨ）、物理サイドリンク制御チャネル（ＰＳＣＣＨ）、物理サイドリンクディスカバリチャネル（ＰＳＤＣＨ）、物理サイドリンクブロードキャストチャネル（ＰＳＢＣＨ）、等である。
【００６２】
本明細書で使用される用語「ヌメロロジー」は、信号特性を規定する任意の１つまたは複数の属性を指すことができる。このような属性の例は、サブキャリア間隔、シンボル期間、（ＣＰ長としても知られる）ＣＰ期間、タイムスロット期間、サブフレーム期間、物理チャネルあたりのサブキャリア数、帯域幅中の物理チャネル数、等である。本明細書で使用される物理チャネルは、任意の時間周波数無線リソースを指す。物理チャネルの例は、リソースブロック（ＲＢ）、物理ＲＢ（ＰＲＢ）、仮想ＲＢ（ＶＲＢ）、等である。
【００６３】
用語「ヌメロロジーのスイッチング」は、１つのヌメロロジー（例えば第１のヌメロロジーＮ１）ともう１つのヌメロロジー（例えば第２のヌメロロジーＮ２）との間のスイッチングを指すことができる。スイッチングは、Ｎ１からＮ２に、またはＮ２からＮ１に発生することができる。ヌメロロジーのスイッチングは、ヌメロロジースイッチング、ヌメロロジー間スイッチング、ヌメロロジーの修正、ヌメロロジーの変更、等と区別なく呼ばれることも可能である。信号Ｓ１および信号Ｓ２は、Ｎ１およびＮ２をそれぞれ使用して動作する。したがって、ヌメロロジーの変更は、例えばＮ１がＮ２に変更される場合のＳ１からＳ２への信号の変更も意味する。ヌメロロジーの変更は、例えば、サブキャリア間隔、ＣＰ長、等といったヌメロロジーを規定する少なくとも１つの属性またはパラメータの変更または修正を必要とする。例えば、１５ｋＨｚから６０ｋＨｚへのサブキャリア間隔の変更は、「ヌメロロジースイッチング」またはより具体的には「サブキャリア間隔スイッチング」（もしくはサブキャリア間隔の間のスイッチング）であるとみなされる。
【００６４】
ヌメロロジースイッチングを行うノード（例えばネットワークノードまたは無線デバイスのどちらか）におけるヌメロロジースイッチングは、ノードにおいて受信されたメッセージまたはコマンドによって始められるか、誘発される。本明細書で使用されるような注目すべき用語「ノード」は、ネットワークノードまたは無線デバイスに適用することができる。メッセージは、スイッチングを行うノードの低い方のレイヤ（例えば物理層）において内部で受信されることが可能である。メッセージは、ノードの高い方のレイヤから受信されることが可能であり、メッセージは、事前規定情報、別のノードから別のメッセージ（例えば、媒体アクセス制御（ＭＡＣ）コマンド、無線リソース制御（ＲＲＣ）メッセージ）を受信すること、（例えばヌメロロジーをスイッチすべきときの時間リソースのパターンの観点からの）事前設定情報、という手段の１つまたは複数によって誘発されることが可能である。
【００６５】
本明細書で使用される用語「時間リソース」は、時間の長さの観点から表現される任意のタイプの物理リソースまたは無線リソースに対応することが可能である。時間リソースの例は、シンボル、タイムスロット、サブフレーム、ショートサブフレーム、ミニスロット、無線フレーム、送信時間間隔（ＴＴＩ）、インターリーブ時間、等である。
【００６６】
例えば、ネットワークノード、無線デバイス、等といったノードによって行われるものとして機能が説明されるが、実装形態は単一の物理デバイスに限定されないということに留意されたい。本明細書で説明される機能は、バックホールネットワークまたはインターネットなどのネットワーククラウドを横断して隔てられたものを含む複数の物理デバイスにわたって分散されることが可能であるということが想定される。
【００６７】
同様の参照指示子が同様の要素を指す描かれた図をこれから参照すると、ノードのスイッチング能力に基づいて異なるヌメロロジー間でスイッチングするように設定された例示的なネットワークノード１０が図３に示されている。
【００６８】
ネットワークノード１０は、処理回路機器１２を含む。処理回路機器１２は、プロセッサ１４およびメモリ１６を含む。従来のプロセッサおよびメモリの他に、処理回路機器１２は、例えば、１つまたは複数のプロセッサおよび／もしくはプロセッサコア、ならびに／またはＦＰＧＡ（フィールドプログラマブルゲートアレイ）および／もしくはＡＳＩＣ（特定用途向け集積回路機器）といった、処理および／または制御のための集積回路機器を備えることができる。プロセッサ１４は、メモリ１６へのアクセス（例えば読み書き）を行うように設定されることが可能であり、メモリ１６は、例えば、キャッシュおよび／もしくはバッファメモリ、ならびに／またはＲＡＭ（ランダムアクセスメモリ）および／もしくはＲＯＭ（リードオンリメモリ）、ならびに／または光メモリおよび／もしくはＥＰＲＯＭ（消去可能プログラマブルリードオンリメモリ）といった、任意の種類の揮発性および／または不揮発性のメモリを含むことができる。このようなメモリ１６は、プロセッサ１４によって実行可能なコード、ならびに／または例えばノードの設定データおよび／もしくはアドレスデータ等といった、例えば通信に関するデータといった、他のデータを格納するように設定されることが可能である。
【００６９】
ネットワークノード１０は、１つもしくは複数の他のネットワークノード１０、１つもしくは複数の無線デバイス、および／または通信ネットワーク内の他の要素と通信するための１つまたは複数の通信インターフェース１８を含む。１つまたは複数の実施形態において、通信インターフェース１８は、１つもしくは複数の送信器、１つもしくは複数の受信器、および／または１つもしくは複数の通信回路機器を含む。
【００７０】
処理回路機器１２は、本明細書で説明される方法および／もしくは処理のいずれかを制御すること、ならびに／または例えば本明細書で説明されるネットワークノード１０の機能によってこのような方法および／もしくは処理が行われるようにすること、を行うように設定されることが可能である。プロセッサ１４は、本明細書で説明されるネットワークノード１０の機能を行うための１つまたは複数のプロセッサ１４に対応する。ネットワークノード１０は、データ、プログラムソフトウェアコード、および／または本明細書で説明される他の情報を格納するように設定されるメモリ１６を含む。１つまたは複数の実施形態において、メモリ１６は、ヌメロロジースイッチコード１９を格納するように設定される。例えば、ヌメロロジースイッチコード１９は、プロセッサ１４によって実行されると、本明細書において論じられる実施形態について論じられる処理のいくつかまたはすべてをプロセッサ１４に行わせる命令を格納する。ネットワークノード１０は、１つもしくは複数の他のネットワークノード１０、１つもしくは複数の無線デバイス、および／または通信ネットワーク内の他の要素と通信するための１つもしくは複数の通信インターフェース１８を含む。１つまたは複数の実施形態において、通信インターフェース１８は、１つもしくは複数の送信器、１つもしくは複数の受信器、および／または１つもしくは複数の通信回路機器を含む。
【００７１】
図４は、ノードのスイッチング能力に基づいて異なるヌメロロジー間でスイッチングするように設定された例示的な無線デバイス２０のブロック図である。
【００７２】
無線デバイス２０は、処理回路機器２２を含む。処理回路機器２２は、プロセッサ２４およびメモリ２６を含む。無線デバイス２０は、通信インターフェース２８も含む。
【００７３】
従来のプロセッサおよびメモリの他に、処理回路機器２２は、例えば、１つまたは複数のプロセッサおよび／もしくはプロセッサコア、ならびに／またはＦＰＧＡ（フィールドプログラマブルゲートアレイ）および／もしくはＡＳＩＣ（特定用途向け集積回路機器）といった、処理および／または制御のための集積回路機器を備えることができる。プロセッサ２４は、メモリ２６へのアクセス（例えば読み書き）を行うように設定されることが可能であり、メモリ２６は、例えば、キャッシュおよび／もしくはバッファメモリ、ならびに／またはＲＡＭ（ランダムアクセスメモリ）および／もしくはＲＯＭ（リードオンリメモリ）、ならびに／または光メモリおよび／もしくはＥＰＲＯＭ（消去可能プログラマブルリードオンリメモリ）といった、任意の種類の揮発性および／または不揮発性のメモリを含むことができる。このようなメモリ２６は、プロセッサ２４によって実行可能なコード、ならびに／または例えばノードの設定データおよび／もしくはアドレスデータ等といった、例えば通信に関するデータといった、他のデータを格納するように設定されることが可能である。
【００７４】
処理回路機器２２は、本明細書で説明される方法および／もしくは処理のいずれかを制御すること、ならびに／または例えば本明細書で説明される無線デバイス２０の機能によって、このような方法および／または処理が行われるようにすること、を行うように設定されることが可能である。無線デバイス２０は、データ、プログラムのソフトウェアコード、および／または本明細書で説明される他の情報を格納するように設定されるメモリ２６を含む。１つまたは複数の実施形態において、メモリ２６は、ヌメロロジースイッチコード３０を格納するように設定される。例えば、ヌメロロジースイッチコード３０は、本明細書で論じられる実施形態について論じられる処理のいくつかまたはすべてをプロセッサ２４に行わせる。
【００７５】
図５は、ネットワークノード１０の能力に少なくとも基づいて異なるヌメロロジー間でスイッチングするように設定された代替ネットワークノード１０のブロック図である。ネットワークノード１０は、第１のヌメロロジーで動作する第１の信号と第２のヌメロロジーで動作する第２の信号との間でスイッチングするために、ネットワークノード１０によって使用されることが可能な少なくとも１つのパラメータを判断するように設定されたパラメータ判断モジュール３２と、少なくとも１つのパラメータに基づいて第１の信号と第２の信号の間でスイッチングするように設定された信号スイッチモジュール３４と、スイッチング後に、ネットワークノード１０と第２のノードの間で第１の信号および第２の信号のうちの少なくとも１つを動作させるように設定された信号動作モジュール３６と、を含む。
【００７６】
図６は、無線デバイス２０の能力に少なくとも基づいて異なるヌメロロジー間でスイッチングするように設定された代替無線デバイス２０のブロック図である。無線デバイス２０は、第１のヌメロロジーで動作する第１の信号と第２のヌメロロジーで動作する第２の信号との間でスイッチングするために、無線デバイス２０によって使用されることが可能な少なくとも１つのパラメータを判断するように設定されたパラメータ判断モジュール３８と、少なくとも１つのパラメータに基づいて第１の信号と第２の信号の間でスイッチングするように設定された信号スイッチモジュール４０と、スイッチング後に、無線デバイス２０と第２のノードの間で第１の信号および第２の信号のうちの少なくとも１つを動作させるように設定された信号動作モジュール４２と、を含む。
【００７７】
図７は、ネットワークノード１０の能力に少なくとも基づいて異なるヌメロロジー間でスイッチングするように設定された代替ネットワークノード１０のブロック図である。ネットワークノード１０は、第１のヌメロロジーで動作する第１の信号と第２のヌメロロジーで動作する第２の信号との間でスイッチングするために、ネットワークノード１０によって使用される少なくとも１つの第１のパラメータを判断するように設定され、第１のヌメロロジーで動作する第１の信号と第２のヌメロロジーで動作する第２の信号との間でスイッチングするために、第２のノードによって使用される少なくとも１つの第２のパラメータを判断するように設定され、少なくとも１つの第１のパラメータおよび少なくとも１つの第２のパラメータのうちの少なくとも１つについての関数である第３のパラメータを判断するように設定されたパラメータ判断モジュール３２を含む。図７のネットワークノード１０は、少なくとも１つの動作タスクのために第３のパラメータを使用するように設定されたパラメータ実行モジュール４４も含む。
【００７８】
図８は、無線デバイス２０の能力に少なくとも基づいて異なるヌメロロジー間でスイッチングするように設定された代替無線デバイス２０のブロック図である。無線デバイス２０は、第１のヌメロロジーで動作する第１の信号と第２のヌメロロジーで動作する第２の信号との間でスイッチングするために、無線デバイス２０によって使用される少なくとも１つの第１のパラメータを判断するように設定され、第１のヌメロロジーで動作する第１の信号と第２のヌメロロジーで動作する第２の信号との間でスイッチングするために、第２のノードによって使用される少なくとも１つの第２のパラメータを判断するように設定され、少なくとも１つの第１のパラメータおよび少なくとも１つの第２のパラメータのうちの少なくとも１つについての関数である第３のパラメータを判断するように設定されたパラメータ判断モジュール３８を含む。図８の無線デバイス２０は、少なくとも１つの動作タスクのために第３のパラメータを使用するように設定されたパラメータ実行モジュール４６も含む。
【００７９】
図９は、ネットワークノード１０および別のノードのスイッチング能力に少なくとも基づいて異なるヌメロロジー間でスイッチングするように設定された代替ネットワークノード１０のブロック図である。ネットワークノード１０は、第１のヌメロロジーで動作する第１の信号と第２のヌメロロジーで動作する第２の信号との間でスイッチングするために、ネットワークノード１０によって使用されることになる少なくとも１つの第１のパラメータに関する情報を他のノードから受信するように設定された通信インターフェースモジュール４８と、少なくとも１つの第１のパラメータに関する受信された情報に少なくとも基づいて第１の信号と第２の信号の間でスイッチングするように設定された信号スイッチモジュール３４と、スイッチング後に、ネットワークノード１０と他のノードの間で第１の信号および第２の信号のうちの少なくとも１つを動作させるように設定された信号動作モジュール３６と、を含む。
【００８０】
図１０は、無線デバイス２０および別のノードのスイッチング能力に基づいて異なるヌメロロジー間でスイッチングするように設定された代替無線デバイス２０のブロック図である。無線デバイス２０は、第１のヌメロロジーで動作する第１の信号と第２のヌメロロジーで動作する第２の信号との間でスイッチングするために、無線デバイス２０によって使用されることになる少なくとも１つの第１のパラメータに関する情報を他のノードから受信するように設定された通信インターフェースモジュール５０と、少なくとも１つの第１のパラメータに関する受信された情報に少なくとも基づいて第１の信号と第２の信号の間でスイッチングするように設定された信号スイッチモジュール４０と、スイッチング後に、無線デバイス２０と他のノードの間で第１の信号および第２の信号のうちの少なくとも１つを動作させるように設定された信号動作モジュール４２と、を含む。
【００８１】
本明細書で開示されたネットワークノード１０、無線デバイス２０、および方法は、同じキャリア上で複数のヌメロロジーの設定を可能にすることという長所をもたらすことができる。ヌメロロジーは変更されることが可能であるが、ネットワークノード１０および／または無線デバイス２０によって一定の性能要件が維持されることが可能である。ヌメロロジーがスイッチされるときの無線デバイス２０の挙動は、うまく規定されることが可能である。送信（ＴＸ）および受信器（ＲＸ）のノードの能力で拡張可能な方法が規定されることが可能である。
【００８２】
いくつかの実施形態において、第１のノード（ノード１）が使用される。ノード１は、ネットワークノード１０または無線デバイス２０であることが可能である。同様に、いくつかの実施形態において、第２のノード（ノード２）が使用される。ノード２も、ネットワークノード１０または無線デバイス２０であることが可能である。したがって、本明細書で使用されるように、ノードが、ネットワークノード１０または無線デバイス２０のどちらかであることが可能なとき、専門用語「ノード」または「ノード１」または「ノード２」は、ノードによって行われる機能が、ネットワークノード１０または無線デバイス２０のどちらかによって行われることが可能であるということを示すために使用されることが可能である。ノード１およびノード２は、無線デバイス２０とネットワークノード１０の任意の組合せであることが可能である。１つの例において、ノード１およびノード２は、無線デバイス２０およびネットワークノード１０であることがそれぞれ可能である。別の例において、ノード１およびノード２は、ネットワークノード１０および無線デバイス２０であることがそれぞれ可能である。さらに別の例において、ノード１およびノード２は、無線デバイス１および無線デバイス２であることがそれぞれ可能であり、すなわち、両方とも、例えばＤ２ＤまたはＶ２Ｖの動作の能力がある無線デバイスである。
【００８３】
いくつかの実施形態において、ノード１またはノード２が無線デバイス２０である場合、このノードは、ＤＬ動作および／もしくはＵＬ動作のための、またはサイドリンク動作（例えば、Ｄ２Ｄ通信、Ｖ２Ｖ通信、等）のための信号（例えばＳ１およびＳ２）を動作させることができる。ノード１またはノード２がネットワークノード１０である場合、このノードは、ＤＬ動作および／またはＵＬ動作のための信号（例えばＳ１およびＳ２）を動作させることができる。
【００８４】
いくつかの実施形態において、ネットワークにおいて使用される異なるヌメロロジーは、同じサービスまたは異なるサービスに属すことができる。例えば、信号Ｓ１は、ユニキャスト信号（例えば非ＭＢＳＦＮサブフレームを含む）、およびマルチキャスト信号（例えばＭＢＳＦＮサブフレームを含む）のいずれかであることが可能である。信号Ｓ２も、ユニキャスト信号（例えば非ＭＢＳＦＮサブフレームを含む）、およびマルチキャスト信号（例えばＭＢＳＦＮサブフレームを含む）のいずれかであることが可能である。実施形態は、例えば、Ｓ１とＳ２の両方がユニキャストであるとき、Ｓ１とＳ２の両方がマルチキャストであるとき、Ｓ１およびＳ２がそれぞれユニキャストおよびマルチキャストであるとき、またはＳ１およびＳ２がそれぞれマルチキャストおよびユニキャストであるとき、といった、ユニキャスト信号とマルチキャスト信号の任意の組合せの間でスイッチングするのに適用できる可能性がある。
【００８５】
第１のノードのスイッチング能力に基づいて異なるヌメロロジー間でスイッチングすることに関する第１のノードにおける方法
本開示の１つの実施形態によれば、第１のノード（ノード１）における方法は、以下のステップを含む。
【００８６】
ステップ１：第１のヌメロロジー（Ｎ１）および第２のヌメロロジー（Ｎ２）でそれぞれ動作する第１の信号（Ｓ１）と第２の信号（Ｓ２）の間でスイッチングするために、ノード１によって使用される少なくとも１つのパラメータ（Ｐ）を判断すること、
ステップ２：少なくとも１つの判断されたパラメータに基づいて、Ｓ１とＳ２の間でスイッチングすること、ならびに
ステップ３：スイッチング後に、ノード１と第２のノード（ノード２）の間で信号Ｓ１および信号Ｓ２のいずれかを動作させること。
【００８７】
上記のステップは、下記でさらに詳細に説明される。
【００８８】
ステップ１：本開示の１つの実施形態によれば、第１のノード（ノード１）における方法が提供される。方法は、ノード１がネットワークノード１０である場合にはプロセッサ１４によって、またはノード１が無線デバイス２０である場合にはプロセッサ２４によって、第１のヌメロロジー（Ｎ１）および第２のヌメロロジー（Ｎ２）でそれぞれ動作する第１の信号（Ｓ１）と第２の信号（Ｓ２）の間でスイッチングするために、ノード１によって使用される少なくとも１つのパラメータ（Ｐ）を判断することを含む。
【００８９】
第１のステップにおいて、ノード１は、第１の信号（Ｓ１）と第２の信号（Ｓ２）の間でスイッチングするために（または変更するために、または修正するために、または適応するために）、ノード１によって使用されることが可能な少なくとも１つのパラメータ（Ｐ）を判断する。信号Ｓ１および信号Ｓ２は、第１のヌメロロジー（Ｎ１）および第２のヌメロロジー（Ｎ２）でそれぞれ動作する。ヌメロロジーの例は、サブキャリア間隔（Ｓｐ）である。例えば、Ｓ１およびＳ２は、第１のサブキャリア間隔（Ｓｐ１）および第２のサブキャリア間隔（Ｓｐ２）で動作することが可能である。
【００９０】
本明細書で説明される実施形態は、例えば、Ｎ１、Ｎ２、Ｎ３、Ｎ４、等でそれぞれ動作する、Ｓ１、Ｓ２、第３の信号（Ｓ３）、第４の信号（Ｓ４）、等、またはより具体的には、Ｓｐ１、Ｓｐ２、Ｓｐ３、Ｓｐ４、等でそれぞれ動作するＳ１、Ｓ２、Ｓ３、Ｓ４、等、といった、異なるヌメロロジーを使用してノード１によって動作する任意の数およびタイプの信号に適用可能である。本明細書で使用されるような用語「信号を動作させること（ｏｐｅｒａｔｉｎｇ  ａ  ｓｉｇｎａｌ）」は、本明細書において、信号を送信すること、および／または信号を受信することを意味する総称である。本明細書で説明される信号Ｓ１および信号Ｓ２の動作は、例えば、信号Ｓ１および／もしくは信号Ｓ２をノード１が送信すること、ならびに／または信号Ｓ１および／もしくは信号Ｓ２をノード１が受信することを意味する。例として、ノード１は、信号Ｓ１および／または信号Ｓ２を少なくとも１つの別のノードすなわち第２のノード（ノード２）に送信することができる。別の実施形態において、ノード１は、信号Ｓ１および／または信号Ｓ２を少なくともノード２から受信することができる。
【００９１】
信号Ｓ１と信号Ｓ２の間でスイッチングするために使用されるパラメータは、時間リソース（例えば無線フレーム）において使用され、ノード１と関連付けられた少なくとも能力および要件に基づくヌメロロジーに関連する。第１のノードは、ヌメロロジー間でスイッチングするためのこれらのパラメータの１つまたは組合せを使用する。任意の２つのヌメロロジーの間の（例えばＮ１からＮ２の間の）スイッチングに関連したこれらのパラメータおよび要件の例が下記で説明される。
【００９２】
ヌメロロジー間でスイッチングするためのヌメロロジースイッチング遅延または時間（Ｄｎ）
Ｄｎは、信号Ｓ１と信号Ｓ２の間でスイッチングするためにノード１によって必要とされる時間とみなされることが可能である。スイッチング遅延（Ｄｎ）は、例えばＤｎ＝ｆ（Ｄｐ，Ｄｉ）、または具体例としてＤｎ＝Ｄｐ＋Ｄｉといった、スイッチング（Ｄｐ）を始めるための時間、およびいくらかの割込時間（Ｄｉ）を少なくとも含むことができる。Ｄｐは、スイッチングを行うことをノード１にリクエストするメッセージまたはコマンドを処理するための時間とみなされることが可能である。メッセージの処理の後、ノード１は、Ｎ１からＮ２にヌメロロジーがスイッチされなければならないと判断することができ、または逆もまた同様である。メッセージまたはコマンドは、高い方のレイヤから内部で、または別のノードから、受信されることが可能である。したがって、スイッチング遅延の少なくとも一部の間、信号Ｓ１および信号Ｓ２は、ノード１において、すなわちＤｉの間、割込まれる可能性がある。この時間の間に、ノード１は、ノード１のリソース（例えば無線回路機器）を使用して、ヌメロロジーの変更後に送信されることになる新しい信号の新しいヌメロロジーに適応させることができる。したがって、Ｄｎは、ノード１におけるヌメロロジースイッチング手順の処理に少なくとも部分的に関連する可能性がある。１つの例において、Ｎ１からＮ２に、またはＮ２からＮ１にスイッチングするためのスイッチング遅延（Ｄｎ）は同じである。Ｄｎは、Ｎ１およびＮ２のうちの少なくとも１つに依存する可能性がある。別の例において、Ｄｎは、特定のヌメロロジーに依存する可能性がある。さらに別の例において、Ｄｎは、スイッチングが、Ｎ１からＮ２に発生するか、Ｎ２からＮ１に発生するかに依存する可能性がある。例えば、スイッチング時間Ｄｎ１がＮ１からＮ２にスイッチングするために必要とされる一方で、スイッチング時間Ｄｎ２は、Ｎ２からＮ１にスイッチングするために必要とされる。スイッチング遅延は、以下の具体例を用いて説明される。
【００９３】
１つの例において、サブキャリア間隔スイッチング遅延（Ｄｓ）は、Ｓｐ１からＳｐ２に、またはＳｐ２からＳｐ１にスイッチングするために必要な時間である。ＤｓもＳｐ１およびＳｐ２のうちの少なくとも１つに依存する可能性がある。別の例において、Ｄｓは、スイッチングが、Ｓｐ１からＳｐ２に発生するか、Ｓｐ２からＳｐ１に発生するかに依存する可能性がある。例えば、スイッチング時間Ｄｓ１がＳｐ１からＳｐ２にスイッチングするために必要とされる一方で、スイッチング時間Ｄｓ２は、Ｓｐ２からＳｐ１にスイッチングするために必要とされる。
【００９４】
別の例において、スイッチング時間は、スイッチングに伴う２つのサブキャリア間隔の小さい方に依存する可能性があり、例えば、これは、１．２５ｋＨｚと１５ｋＨｚの間でスイッチングが発生する場合、１５ｋＨｚではなく１．２５ｋＨｚに依存する可能性がある。
【００９５】
さらに別の例において、スイッチング時間は、スイッチングに伴う２つのヌメロロジーのＣＰ長の最大値に依存する可能性がある。
【００９６】
さらに別の例において、スイッチングは、例えば、ｋ１倍のＣＰ長（Ｋ＊ＣＰ長）、Ｋ２倍のシンボル長（Ｋ２＊シンボル長）、Ｋ３倍のタイムスロット（Ｋ３＊タイムスロット）、Ｋ４倍のサブフレーム（Ｋ４＊サブフレーム）、等といった、一定の時間リソースの関数であり、ここで、Ｋ１、Ｋ２、Ｋ３、およびＫ４は正の数値である。
【００９７】
さらに別の例において、２つのヌメロロジーの間のスイッチングギャップ（すなわちスイッチング時間）が提供され、ここで、ヌメロロジーの変更に基づいて、２つのシンボル間にギャップが置かれる。この要件の例は、信号の立ち上がり時間および立ち下がり時間等などの無線周波数要件であることが可能である。図１１は、本開示の１つの実施形態による、異なるヌメロロジーがあり、１つのスイッチングギャップがある、２つの異なるＯＦＤＭシンボルの例を示す。
【００９８】
スイッチングによる割込時間（Ｄｉ）
この時間の間、ノード１は、いずれの信号を送信することも、受信することもできない。割込みは、Ｎ１からＮ２への、または逆もまた同様の、ヌメロロジーの変更を、ノード１の低い方のレイヤ（例えば物理層）が実際に行った後に発生する可能性がある。１つの例において、パラメータＤｉは、Ｙ１μｓ、Ｙ２ｍｓ、等などの時間の観点から表現されることが可能である。別の例において、Ｄｉは、一定数の時間リソース（例えばＹ３＊タイムスロット、ここでＹ３≧１）の観点から表現されることが可能である。さらに別の例において、割込時間は、ノード２によるノード１へのデータの連続送信中にノード１によって送信された見逃されたフィードバック信号の確率の観点から表現されることが可能である。フィードバック信号の例は、ＡＣＫ／ＮＡＣＫなどのハイブリッド自動再送要求（ＨＡＲＱ）のフィードバックである。例えば、Ｄｉは、ヌメロロジースイッチング手順の間に見逃されたＡＣＫ／ＮＡＣＫの１％の確率の観点から表現されることが可能である。
【００９９】
ヌメロロジー間スイッチングの頻度（スイッチング周波数）、または連続したヌメロロジースイッチングの間の最小時間（Ｔｎ）
連続したスイッチングイベントの間の最小時間（Ｔｎ）は、ヌメロロジー間のスイッチングが発生し得る頻度として本明細書において規定される。このパラメータ（Ｔｎ）は、スイッチング周期とも呼ばれる。例えば、Ｎ１とＮ２の間の第１のスイッチングが第１の時間インスタンスＴ１において発生する場合、Ｎ１とＮ２の間の次の連続したスイッチングは、第２の時間インスタンスＴ２において起こることが許容され、したがってＴｎ＝Ｔ２−Ｔ１である。時間（Ｔｎ）は、必要な手順または動作を効率的に実行するためのいくらかの時間をノード１に与えることができる。このようなタスクの例は、必要な信号を取得および／または送信すること、同期、新しいシステム情報を読むこと、等である。したがって、いくつかの実施形態において、ヌメロロジースイッチングは、全てのＴｎより速く起こることが許容されない。Ｔｎの例が下記で示される。
【０１００】
１つの例において、Ｔｎは、少なくともＤｎ、およびいくらかの追加時間（Ｄａ）を含む。例えばＴｎ＝ｆ（Ｄｎ，Ｄａ）であり、または１つの具体例において、Ｔｎ＝Ｄｎ＋Ｄａである。
【０１０１】
別の例において、パラメータＴｎは、Ｎ１およびＮ２とは関係なく同じであることが可能であり、またパラメータＴｎは、Ｎ１および／またはＮ２に依存する可能性がある。
【０１０２】
別の例において、パラメータＴｎは、連続したヌメロロジースイッチングのアクションのうちの少なくとも１つに伴うヌメロロジーに依存する可能性がある。
【０１０３】
別の例において、Ｔｎ＝Ｔｓであり、これは、サブキャリア間隔の連続したスイッチングの間の最小時間である。例えば、Ｓｐ１とＳｐ２の間の第１のスイッチングが第１の時間インスタンスＴｓ１において発生する場合、Ｓｐ１とＳｐ２の間の次の連続したスイッチングは、第２の時間インスタンスＴｓ２において起こることが許容され、したがってＴｓ＝Ｔｓ２−Ｔｓ１である。
【０１０４】
別の例において、パラメータＴｎまたはＴｓは、特定のタイプの信号または時間リソースの周期または発生に関連するものである。例えば、Ｔｎ＝Ｌ１＊無線フレームである。１つの例において、Ｔｎ＝Ｌ２＊Ｔｂであり、ここで、Ｔｂ＝特定のタイプの信号を収める時間リソースの周期である。特定の信号の例は、ブロードキャストチャネル、チャネル関連シグナリング（ＣＡＳ）、ＭＣＣＨ、物理ブロードキャストチャネル（ＰＢＣＨ）、サウンディング参照信号（ＳＲＳ）、復調用参照信号（ＤＲＳ）、ＣＳＩ−ＲＳ、等である。
【０１０５】
スイッチングのために許容される固有時間リソース
いくつかの実施形態において、このパラメータに従って、ヌメロロジー間のスイッチングは、許容時間リソースとしても知られる一定の時間リソースにおいてのみ、さらに頻繁に許容されるか、推奨されるか、好まれるか、使用される。例えば、ヌメロロジーは、システム情報（例えばＣＡＳ）を収める時間リソースの直前の時間リソースにおいて、または直後の時間リソースにおいて変更されることが許容される可能性がある。
【０１０６】
スイッチングのために制限される（または禁止される、または許容されない）時間リソース
いくつかの実施形態において、このパラメータに従って、ヌメロロジー間のスイッチングは、制限時間リソースとしても知られる一定の時間リソースにおいて許容も推奨もされない。このようなリソースの例は、システム情報（例えばＣＡＳ）を収める時間リソースである。別の実施形態において、時間リソースは、あまり堅牢でないトランスポートフォーマットの信号を収める。あまり堅牢でないトランスポートフォーマットの信号の例は、より高次の変調および／またはより高い符号化レートでエンコードされた信号を含む。より高次の変調の例は、４位相偏移変調（ＱＰＳＫ）または６４直角位相振幅変調（ＱＡＭ）等と比較される１６ＱＡＭである。
【０１０７】
スイッチングのために許容されるヌメロロジー
いくつかの実施形態において、このパラメータに従って、可能なヌメロロジーのサブセットだけが、例えば周波数帯域といったスペクトルの一定の部分で、ノード１において動作することを許容される可能性がある。例えば、帯域Ｚ１において、ヌメロロジーＮ１、Ｎ２、およびＮ３が許容される一方で、帯域Ｚ２において、ヌメロロジーＮ１およびＮ４が許容される。帯域Ｚ１においてノード１が動作する場合、Ｎ１、Ｎ２、およびＮ３のいずれかの間のスイッチングが可能である可能性がある。しかし、帯域Ｚ２においてノード１が動作するとき、Ｎ１とＮ４の間のスイッチングが可能である可能性がある。制限は、マルチキャスト動作とユニキャスト動作の両方にあてはまる可能性があり、またマルチキャスト動作とユニキャスト動作で異なる可能性もある。制限は、ノード１が、ネットワークノード１０内にあるか、無線デバイス２０内にあるかに依存する可能性もある。
【０１０８】
スイッチングのために許容されるスペクトルの一部分
いくつかの実施形態において、このパラメータに従って、ヌメロロジー間のスイッチングは、ノード１によって使用されるスペクトルの一定の部分に制限される。図１２は、スペクトルの２つの部分（ＢＷ１およびＢＷ２）が異なるヌメロロジーを使用して動作することができ、スペクトルの異なる部分におけるヌメロロジー間のスイッチングに対する異なる制限が存在する場合の例を示す。２つのヌメロロジーの例は、サブキャリア間隔Δｆ１およびΔｆ２である。
【０１０９】
この例において、ＢＷ１においてΔｆ１とΔｆ２の両方が許容され、ノード１は、ＢＷ１における２つのサブキャリア間隔の間でスイッチングすることができる。しかし、ＢＷ２において、Δｆ１だけが、ノード１によって使用されることが許容される。このようなシナリオの例は、ユースケース等に基づいてスペクトルがいくつかの区画に分割されることが可能な新しい無線（ＮＲ）（５Ｇシステム）において存在することが可能である。例えば、スペクトルの一定の部分において、様々なサブキャリア間隔が許容される。さらに別の実施形態において、上記の制限は、一定期間後に別の制限が適用される可能性があり、または制限が取り除かれる可能性があることを意味する一定期間、適用されることが可能である。
【０１１０】
図１２は、ヌメロロジー間のスイッチングに対する異なる制限のあるスペクトルの２つの区画を示す。
【０１１１】
上述のパラメータは、ヌメロロジーの間のスイッチングに関連した要件の観点から表現されることが可能である。これらの要件は、例えばノード１といったノードがヌメロロジースイッチングを行うことによって満たされることが可能である。このような要件は事前規定され、第１のノードの実装形態に基づいて第１のノード（例えば無線デバイス２０）によって自律的に判断されることが可能であり、また別のノード（例えば別のネットワークノード１０）によって設定されることが可能である。例えば、ヌメロロジースイッチングによるノード（例えば無線デバイス２０）における信号の最大許容割込が１サブフレームであると事前規定されることが可能である。
【０１１２】
ノード（例えば、ノード１、無線デバイス２０、またはネットワークノード１０）は、上記で規定されたスイッチングに関連した１つまたは複数のパラメータに従ってノードによってヌメロロジースイッチングが行われる場合、一定の要求を満たすこともできる。例えば、ノードは、例えばスイッチングが無線フレームあたり多くて１回行われる、等といった、スイッチングに関連した上記のパラメータの１つまたは複数に基づいてノードによってヌメロロジースイッチングが行われる場合、例えば、受信感度、放出要件、送信変調品質（例えばエラーベクトル等級（ＥＶＭ））といった一定の要件を満たすことができる。
【０１１３】
スイッチングの影響は、サービスによって異なる可能性もある。スイッチングの影響がある場合、前のヌメロロジーおよび／または後のヌメロロジーに応じて、要件の２つの異なるセットが異なるサービスにあてはまる可能性がある。例えば、マルチキャストとユニキャストの間のスイッチングにおいて、シンボル、またはＣＰの一部が失われる可能性があり、これを回避するために、このような変更に対して一定の要件が存在する可能性がある。
【０１１４】
本開示のいくつかの実施形態において、ヌメロロジー間のスイッチングのために使用される上述の要件は、第１のノードの以下の制限または能力を満たすように規定されることが可能である。
−  ノード１のハードウェア能力：送信器または受信器がベースバンド動作または無線動作をどれだけすばやく変更できるか。例として、送信器または受信器は、送信器または受信器が、そのベースバンド動作をどれだけ迅速に変更できるかについて、一定のハードウェア制限を有する可能性がある。
−  規制要件：単位時間あたり一定回数を超えてスイッチングを禁ずるという、一定の帯域、地理エリア、等に対する規制要件が存在する可能性がある。これは、任意の２つの連続したヌメロロジースイッチングのアクションまたはイベントの間の最小時間をセットまたは規定する可能性がある。
−  無線周波数（ＲＦ）要件：オン／オフ時間マスク、および／または送受信器のオンまたはオフを切り替えるときの立ち上がり時間および立ち下がり時間、放出要件、等などの一定の無線周波数要件が存在する可能性がある。これは、ノード１のＲＦアーキテクチャに関連するものである可能性がある。ＲＦアーキテクチャは、電力増幅器、ＲＦフィルタ、アンテナ、等などの構成要素を含むことができる。送受信器の例は、受信器および／または送信器を含む回路機器である。
−  ベースバンド性能要件：復調要件等などの一定のベースバンド性能要件が存在する可能性がある。例えば、この要件は、一定量のスループットまたはビットレート（例えば、Ｘ％の最大スループット、平均スループット、Ｙ番目のパーセンタイルのスループット、等）を実現するために、ノード（例えばネットワークノード１０または無線デバイス２０のどちらか）において必要とされる受信信号品質（例えば、信号対雑音比（ＳＮＲ）、信号対干渉および雑音比（ＳＩＮＲ）、等）の観点から規定されることが可能である。所望のスループットを実現するために、ヌメロロジースイッチングは、あまり頻繁に行われることは不可能であり、すなわち、いくつかの実施形態において、Ｔｎ毎に多くて１回である。
【０１１５】
ステップ２：少なくとも１つの判断されたパラメータに基づいてＳ１とＳ２の間でスイッチングすること。このステップにおいて、第１のノード（例えば無線デバイス２０またはネットワークノード１０）は、上記のステップ１において説明されたようなヌメロロジースイッチングに関連した少なくとも１つの判断されたパラメータ（Ｐ）に基づいて、Ｎ１およびＮ２それぞれで動作する信号Ｓ１と信号Ｓ２の間のスイッチングを行うことができる。例えば、ノード１は、指定された時間の中で、例えばＤｎの中で、ヌメロロジースイッチングが行われるということを定める。別の例において、ノード１は、最後のヌメロロジースイッチングのイベントまたはアクション以来、時間Ｔｎより速くヌメロロジースイッチングを行わない。さらに別の例において、スイッチングは、ヌメロロジースイッチングを行うために許容される固有時間リソースの１つまたは複数において行われることが可能である。
【０１１６】
ステップ３：このステップにおいて、ノード１は、ヌメロロジースイッチングを行った後、ノード１と第２のノードの間で信号Ｓ１および信号Ｓ２のいずれかを動作させる。例えば、Ｎ１からＮ２へのスイッチングが行われると、ノード１は、ヌメロロジースイッチングの後、信号Ｓ２を動作させることになる。しかし、Ｎ２からＮ１へのスイッチングが行われると、ノード１は、スイッチングの後、信号Ｓ１を動作させることになる。本明細書で論じられるような、信号を動作させること、という用語は、信号を別のノードに送信すること、および／または別のノードから信号を受信することを意味する。例えば、ノード１は、信号をノード２に送信すること、および／またはノード２から信号を受信することができる。信号Ｓ１は、Ｓ１１およびＳ１２としてさらに表現されることが可能であり、ここで、Ｓ１１がノード１によって送信される一方で、Ｓ１２は、ノード１によって受信される。同様に、信号Ｓ２は、Ｓ２１およびＳ２２としてさらに表現されることが可能であり、ここで、Ｓ２１がノード１によって送信される一方で、Ｓ２２は、ノード１によって受信される。本実施形態のさらに別の態様において、ノード１は、異なるヌメロロジーを有するマルチキャストに隣接したサブフレームにおけるＤＬまたはＵＬにおける一定の送信のスケジューリングを制限することができる。１つのこのようなスケジューリング適合は、異なるヌメロロジーを有する後のサブフレームにおける干渉を回避するために、前のサブフレームにおける最後のシンボルが空になるように設定するためのものであることが可能である。
【０１１７】
第１のノードおよび第２のノードのスイッチング能力に基づいて異なるヌメロロジー間でスイッチングすることに関する第１のノードにおける方法
本実施形態によれば、第１のノード（ノード１）（例えば無線デバイス２０またはネットワークノード１０）における方法は以下のステップを含む。
【０１１８】
ステップ４：第１のヌメロロジー（Ｎ１）および第２のヌメロロジー（Ｎ２）でそれぞれ動作する第１の信号（Ｓ１）と第２の信号（Ｓ２）の間でスイッチングするために、ノード１（例えば無線デバイス２０またはネットワークノード１０）によって使用される少なくとも１つのパラメータ（Ｐ）を判断すること。
【０１１９】
ステップ５：Ｎ１およびＮ２でそれぞれ動作する信号Ｓ１と信号Ｓ２の間でスイッチングするために、第２のノード（ノード２）（例えば無線デバイス２０またはネットワークノード１０）によって使用される少なくとも１つのパラメータ（Ｑ）を判断すること。
【０１２０】
ステップ６：少なくともＰおよびＱの関数であるパラメータＲを判断すること。
【０１２１】
ステップ７：例えば、
−  判断されたパラメータＲに少なくとも基づいて信号Ｓ１と信号Ｓ２の間でスイッチングすることをノード２ができるようにするためにノード２を設定すること、および
−  少なくとも１つの判断されたパラメータＲに基づいて信号Ｓ１と信号Ｓ２の間でスイッチングすること、等
を行う１つまたは複数の動作タスクのために、判断されたパラメータＲを使用すること。
【０１２２】
ステップ８：ヌメロロジースイッチングに関連するパラメータ、ならびに／またはノード１およびノード２における能力が変わるたびにステップ４〜ステップ７を行うこと。
【０１２３】
上記のステップは、ここからさらに詳細に説明される。
【０１２４】
ステップ４：このステップにおいて、ノード１（例えば無線デバイス２０またはネットワークノード１０）は、第１のヌメロロジー（Ｎ１）および第２のヌメロロジー（Ｎ２）でそれぞれ動作する第１の信号（Ｓ１）と第２の信号（Ｓ２）の間でスイッチングするために（または変更するために、または修正するために、または適応するために）、ノード１によって使用されることが可能な少なくとも１つのパラメータ（Ｐ）を判断する。このステップは、上記のステップ１において説明されたものと同じである。したがって、上記のステップ１における説明は本実施形態にも適用可能である。
【０１２５】
ステップ５：このステップにおいて、ノード１は、第１のヌメロロジー（Ｎ１）および第２のヌメロロジー（Ｎ２）でそれぞれ動作する信号Ｓ１と信号Ｓ２の間でスイッチングするために（または変更するために、または修正するために、または適応するために）、第２のノード（ノード２）（例えば無線デバイス２０またはネットワークノード１０）によって使用されることが可能な少なくとも１つのパラメータ（Ｑ）を判断する。ノード２に対する１つまたは複数の判断されたパラメータは、上記のステップ１においてノード１に対して説明されたものと同じである。したがって、ステップ１の説明は本実施形態にも適用可能である。しかし、ヌメロロジースイッチングに関連した同じパラメータの値は、ノード１およびノード２に対して異なる可能性がある。これらの値は、ノードがネットワークノード１０であるか、無線デバイス２０であるかにさらに依存する可能性がある。例えば、ノード１およびノード２が、それぞれ、ネットワークノード１０および無線デバイス２０である場合、ノード２に対するパラメータＤｎまたはＤｉの値は、ノード１に対するものより長くなる可能性がある。
【０１２６】
ノード１は、以下の原理の１つまたは複数に基づいてＱを判断することができる。
−  例えばＤｎ、Ｄｓ、Ｔｎ、等の値が事前規定される事前規定情報またはルールに基づく。
−  別のノードからのノード２と関連付けられた１つまたは複数のパラメータ（Ｑ）についての情報を受信することによる。例えば、ノード２は、例えば、ＭＡＣ、ＲＲＣシグナリング、等といったメッセージを介して、このような情報をノード１に送信することができる。
−  統計データまたは履歴データに基づく。
−  ノード２からのフィードバックを伴うイベントの結論または結果などの観察に暗黙的に基づく。例えば、一定の遅延（Ｄｘ）内でのヌメロロジースイッチングの後、ノード１がノード２から信号を受信し始めると、ノード１は、ノード２に対するスイッチング遅延がＤｘであると仮定する。
【０１２７】
ステップ６：このステップにおいて、ノード１（例えば無線デバイス２０またはネットワークノード１０）は、ヌメロロジースイッチングのために使用または仮定されることになる少なくとも１つの共通パラメータＲを判断する。いくつかの実施形態において、パラメータＲは、以前のステップ（ステップ４およびステップ５）において判断された少なくともＰおよびＱの関数である。例えば、Ｒは、方程式（１）によって表現されることが可能である。
Ｒ＝ｆ１（Ｐ，Ｑ）                            （１）
【０１２８】
さらに別の例において、Ｒは、方程式（２）によって表現されることが可能である。
Ｒ＝ｆ（Ｐ，Ｑ，α，β）                      （２）
ここで、αおよびβは、ノード１およびノード２とそれぞれ関連付けられた実行マージンである。特殊なケースとして、αおよび／またはβは無視されることが可能である。
【０１２９】
関数の具体例は最低値、最大値、Ｘ番目のパーセンタイル、平均、等である。
Ｒ＝ＭＡＸ（Ｐ，Ｑ）                          （３）
【０１３０】
さらに別の例において、
Ｒ＝Ｐ、すなわちＱが無視される                （４）
【０１３１】
さらに別の例において、
Ｒ＝Ｑ、すなわちＰが無視される                （５）
【０１３２】
１つの例において、ノード１は、ヌメロロジースイッチングのために使用されるパラメータの全てまたはグループの値を判断するために同じ関数を使用することができる。さらに別の例において、ノード１は、ヌメロロジースイッチングのために使用される異なるパラメータの値を判断するために異なる関数を使用することができる。例として、ＤｎおよびＴｎは、方程式（３）および方程式（４）における数式にそれぞれ基づくことが可能である。
【０１３３】
ステップ７：このステップにおいて、ノード１（例えば無線デバイス２０またはネットワークノード１０）は、１つまたは複数の動作タスクまたは手順を行うために、判断されたパラメータＲを使用する。ノード１によって行われる動作タスクの例は、以下である。
−  判断された値Ｒに関する情報でノード２を設定すること。ノード２は、ヌメロロジー間、すなわちＮ１とＮ２の間でスイッチングするためにこの情報をさらに使用することができる。例えば、ノード２が１タイムスロットの中でヌメロロジースイッチングを行うことができるが、２タイムスロットの中でスイッチングを行うようにノード２がノード１によって設定される場合、ノード２は、２タイムスロットの中でスイッチングを行うことになる。
−  例えば、ネットワークノード１０、隣のネットワークノード１０、別の無線デバイス２０、等といった別のノードに、判断された値Ｒに関する情報を送信すること。
−  判断された値Ｒに関する情報を使用して、ノード２との間で送受信される信号のスケジューリングを行うこと。
−  判断されたパラメータＲに基づいてＳ１とＳ２の間のスイッチングを行うこと。
【０１３４】
上記のステップ４〜ステップ７は、ヌメロロジースイッチングに関連するパラメータならびに／またはノード１およびノード２の能力が変わるたびに行われることが可能である。
【０１３５】
第１のノードおよび第２のノードのスイッチング能力に基づいて異なるヌメロロジー間でスイッチングすることに関する第２のノードにおける方法
本実施形態によれば、第２のノード（ノード２）（例えば無線デバイス２０またはネットワークノード１０）における方法は、以下のステップを含む。
ステップ９：（任意選択のステップ）第１のヌメロロジー（Ｎ１）および第２のヌメロロジー（Ｎ２）でそれぞれ動作する第１の信号（Ｓ１）と第２の信号（Ｓ２）の間でスイッチングするために、ノード２によって使用される少なくとも１つのパラメータ（Ｑ）に関する情報を別のノードに送信すること、
ステップ１０：第１のヌメロロジー（Ｎ１）および第２のヌメロロジー（Ｎ２）でそれぞれ動作する第１の信号（Ｓ１）と第２の信号（Ｓ２）の間でスイッチングするために、ノード２によって使用されることになる少なくとも１つのパラメータ（Ｒ）に関する情報を第１のノード（ノード１）から受信すること、
ステップ１１：Ｒに関連した受信された情報に少なくとも基づいて信号Ｓ１と信号Ｓ２の間でスイッチングすること、および
ステップ１２：スイッチング後に、ノード１とノード２の間で信号Ｓ１および信号Ｓ２のいずれかを動作させること。
【０１３６】
上記のステップが、ここから、さらに詳細に説明される。
【０１３７】
ステップ９：このステップは、ノード２に対して任意選択であると考えられる。このステップにおいて、ノード２は、ノード２によってヌメロロジースイッチングが行われることが可能な少なくとも１つのパラメータ（Ｑ）に関する情報を別のノード（例えばノード１）に送信する。情報は、能力情報の一部として別のノードに送信されることが可能である。情報は、先を見越して、または別のノードからのリクエストを受信することに応答して、別のノードに送信されることが可能である。ヌメロロジースイッチングに関連した少なくとも１つのパラメータ（Ｑ）は、上記のステップ１において説明されたパラメータのいずれかであることが可能である。したがって、ステップ１における説明は、本実施形態に対しても適用可能である。
【０１３８】
ステップ１０：このステップにおいて、ノード２は、第１のヌメロロジー（Ｎ１）および第２のヌメロロジー（Ｎ２）でそれぞれ動作する第１の信号（Ｓ１）と第２の信号（Ｓ２）の間で信号をスイッチングするために、ノード２によって使用されることになる少なくとも１つのパラメータ（Ｒ）に関する情報を第１のノード（ノード１）から受信する。第２の実施形態の上記のステップ６において説明されたように、ノード１は、パラメータＰおよびＱの関数に基づいて１つまたは複数のパラメータ（Ｒ）を判断する。
【０１３９】
ステップ１１：このステップにおいて、ノード２は、（ステップ９において）ノード１から受信された少なくとも１つのパラメータ（Ｒ）に基づいてＮ１およびＮ２でそれぞれ動作する信号Ｓ１と信号Ｓ２の間のスイッチングを行う。例えば、ノード２は、受信されたパラメータに基づいて、指定された時間の中でヌメロロジースイッチングが行われることを保証する。別の例において、ノード２は、スイッチ期間（Ｔｎ）あたり多くて１回、ヌメロロジースイッチングを行う。さらに別の例において、スイッチングは、ヌメロロジースイッチングを行うために許容される１つまたは複数の固有時間リソースにおいて行われることが可能である。
【０１４０】
ステップ１２：このステップにおいて、ノード２は、ヌメロロジースイッチングを行った後、ノード２とノード１の間で信号Ｓ１および信号Ｓ２のいずれかを動作させる。例えば、Ｎ１からＮ２へのスイッチングが行われると、ノード２は、ヌメロロジースイッチングの後に信号Ｓ２を動作させることになる。しかし、Ｎ２からＮ１へのスイッチングが行われると、ノード２は、スイッチングの後に信号Ｓ１を動作させることになる。用語「信号を動作させる」は、別のノードに信号を送信すること、および／または別のノードから信号を受信することとして本明細書で規定される。例えば、ノード２は、ノード１に信号を送信すること、および／またはノード１から信号を受信することができる。信号Ｓ１は、信号Ｓ１１および信号Ｓ１２としてさらに表現されることが可能であり、ここで、Ｓ１２が、ノード１にノード２によって送信される一方で、信号Ｓ１１は、ノード１からノード２によって受信される。同様に、信号Ｓ２は、信号Ｓ２１および信号Ｓ２２としてさらに表現されることが可能であり、ここで、信号Ｓ２２が、ノード１にノード２によって送信される一方で、信号Ｓ２１は、ノード１からノード２によって受信される。
【０１４１】
図１３は、ネットワークノード１０のスイッチング能力に少なくとも基づいて異なるヌメロロジー間でスイッチングするための、例えばネットワークノード１０によって行われる例示的な方法の流れ図である。１つの実施形態において、方法は、第１のヌメロロジーで動作する第１の信号と第２のヌメロロジーで動作する第２の信号との間でスイッチングするために、ネットワークノード１０によって使用されることが可能な少なくとも１つのパラメータを、例えばネットワークノード１０のプロセッサ１４によって判断すること（ブロックＳ１００）と、少なくとも１つのパラメータに基づいて第１の信号と第２の信号の間で、ヌメロロジースイッチコード１９と連動して、例えばプロセッサ１４によってスイッチングすること（ブロックＳ１１０）と、スイッチング後に、ネットワークノードと第２のノードの間で第１の信号および第２の信号のうちの少なくとも１つを、例えばプロセッサ１４によって動作させること（ブロックＳ１２０）と、を含む。
【０１４２】
１つの実施形態において、少なくとも１つのパラメータは、ヌメロロジースイッチング遅延時間、スイッチングによる割込時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの１つである。
【０１４３】
別の実施形態において、第１のヌメロロジーは、第１のサブキャリア間隔であり、第２のヌメロロジーは、第２のサブキャリア間隔である。
【０１４４】
別の実施形態において、方法は、異なるヌメロロジーを有するマルチキャストに隣接したサブフレームの中でダウンリンク送信およびアップリンク送信のうちの少なくとも１つのスケジューリングを、例えばプロセッサ１４によってさらに制限することをさらに含む。
【０１４５】
図１４は、無線デバイス２０のスイッチング能力に少なくとも基づいて異なるヌメロロジー間でスイッチングするための、例えば無線デバイス２０によって行われる例示的な方法の流れ図である。１つの実施形態において、方法は、第１のヌメロロジーで動作する第１の信号と第２のヌメロロジーで動作する第２の信号との間でスイッチングするために、無線デバイス２０によって使用されることが可能な少なくとも１つのパラメータを、例えば無線デバイス２０のプロセッサ２４によって判断すること（ブロックＳ１３０）と、少なくとも１つのパラメータに基づいて第１の信号と第２の信号の間で、ヌメロロジースイッチコード３０と連動して、例えばプロセッサ２４によってスイッチングすること（ブロックＳ１４０）と、スイッチング後に、無線デバイス２０と、例えばネットワークノード１０などの第２のノードとの間で第１の信号および第２の信号のうちの少なくとも１つを、例えばプロセッサ２４によって動作させること（ブロックＳ１５０）と、を含む。
【０１４６】
１つの実施形態において、少なくとも１つのパラメータは、ヌメロロジースイッチング遅延時間、スイッチングによる割込時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの１つである。
【０１４７】
別の実施形態において、第１のヌメロロジーは、第１のサブキャリア間隔であり、第２のヌメロロジーは、第２のサブキャリア間隔である。
【０１４８】
別の実施形態において、方法は、異なるヌメロロジーを有するマルチキャストに隣接したサブフレームの中でダウンリンク送信およびアップリンク送信のうちの少なくとも１つのスケジューリングをプロセッサ２４によって制限することをさらに含む。
【０１４９】
図１５は、ネットワークノード１０および第２のノードのスイッチング能力に少なくとも基づいて異なるヌメロロジー間でスイッチングするための、例えばネットワークノード１０によって行われる別の例示的な方法の流れ図である。１つの実施形態において、方法は、第１のヌメロロジーで動作する第１の信号と第２のヌメロロジーで動作する第２の信号との間でスイッチングするために、ネットワークノード１０によって使用される少なくとも１つの第１のパラメータを、例えばネットワークノード１０のプロセッサ１４によって判断すること（ブロックＳ１６０）と、第１のヌメロロジーで動作する第１の信号と第２のヌメロロジーで動作する第２の信号との間でスイッチングするために、第２のノードによって使用される少なくとも１つの第２のパラメータを、例えばプロセッサ１４によって判断すること（ブロックＳ１７０）と、少なくとも１つの第１のパラメータおよび少なくとも１つの第２のパラメータのうちの少なくとも１つについての関数である第３のパラメータを、例えばプロセッサ１４によって判断すること（ブロックＳ１８０）と、少なくとも１つの動作タスクのために第３のパラメータを、例えばプロセッサ１４によって使用すること（ブロックＳ１９０）と、を含む。
【０１５０】
別の実施形態において、少なくとも１つの第１のパラメータの値は、少なくとも１つの第２のパラメータの値と同じである。
【０１５１】
別の実施形態において、少なくとも１つの第１のパラメータの値は、少なくとも１つの第２のパラメータの値とは異なる。
【０１５２】
別の実施形態において、少なくとも１つの第２のパラメータは、所定の情報、別のノードからの第２のノードと関連付けられた少なくとも１つの第２のパラメータについての受信情報、統計データおよび履歴データのうちの少なくとも１つ、ならびに第２のノードからのフィードバック、のうちの少なくとも１つに基づいて判断される。
【０１５３】
別の実施形態において、少なくとも１つの動作タスクは、第３のパラメータの判断された値に関する情報で第２のノードを設定することと、第３のパラメータの判断された値に関する情報を送信することと、第２のノードと交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。
【０１５４】
図１６は、無線デバイス２０および第２のノードのスイッチング能力に少なくとも基づいて異なるヌメロロジー間でスイッチングするための、例えば無線デバイス２０によって行われる別の例示的な方法の流れ図である。１つの実施形態において、方法は、第１のヌメロロジーで動作する第１の信号と第２のヌメロロジーで動作する第２の信号との間でスイッチングするために、無線デバイス２０によって使用される少なくとも１つの第１のパラメータを、例えば無線デバイス２０のプロセッサ２４によって判断すること（ブロックＳ２００）と、第１のヌメロロジーで動作する第１の信号と第２のヌメロロジーで動作する第２の信号との間でスイッチングするために、第２のノードによって使用される少なくとも１つの第２のパラメータを、例えばプロセッサ２４によって判断すること（ブロックＳ２１０）と、少なくとも１つの第１のパラメータおよび少なくとも１つの第２のパラメータのうちの少なくとも１つについての関数である第３のパラメータを、例えばプロセッサ２４によって判断すること（ブロックＳ２２０）と、少なくとも１つの動作タスクのために第３のパラメータを、例えばプロセッサ２４によって使用すること（ブロックＳ２３０）と、を含む。
【０１５５】
別の実施形態において、少なくとも１つの第１のパラメータの値は、少なくとも１つの第２のパラメータの値と同じである。
【０１５６】
他の実施形態において、少なくとも１つの第１のパラメータの値は、少なくとも１つの第２のパラメータの値とは異なる。
【０１５７】
別の実施形態において、少なくとも１つの第２のパラメータは、所定の情報、別のノードからの第２のノードと関連付けられた少なくとも１つの第２のパラメータについての受信情報、統計データおよび履歴データのうちの少なくとも１つ、ならびに第２のノードからのフィードバック、のうちの少なくとも１つに基づいて判断される。
【０１５８】
別の実施形態において、少なくとも１つの動作タスクは、第３のパラメータの判断された値に関する情報で第２のノードを設定することと、第３のパラメータの判断された値に関する情報を送信することと、第２のノードと交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。
【０１５９】
図１７は、ネットワークノード１０および別のノードのスイッチング能力に少なくとも基づいて異なるヌメロロジー間でスイッチングするための、例えばネットワークノード１０によって行われる別の例示的な方法の流れ図である。１つの実施形態において、方法は、第１のヌメロロジーで動作する第１の信号と第２のヌメロロジーで動作する第２の信号との間でスイッチングするために、ネットワークノード１０によって使用されることになる少なくとも１つの第１のパラメータに関する情報を他のノードから、ネットワークノード１０の通信インターフェース１８によって受信すること（ブロックＳ２４０）と、少なくとも１つの第１のパラメータに関する受信された情報に少なくとも基づいて第１の信号と第２の信号の間で、ヌメロロジースイッチコード１９と連動して、例えばプロセッサ１４によってスイッチングすること（ブロックＳ２５０）と、スイッチング後に、ネットワークノード１０と他のノードの間で第１の信号および第２の信号のうちの少なくとも１つを、例えばプロセッサ１４によって動作させること（ブロックＳ２６０）と、を含む。
【０１６０】
１つの実施形態において、方法は、第１のヌメロロジーで動作する第１の信号と第２のヌメロロジーで動作する第２の信号との間でスイッチングするために、ネットワークノード１０によって使用される少なくとも１つの第２のパラメータに関する情報を他のノードに、通信インターフェース１８によって送信することをさらに含む。
【０１６１】
別の実施形態において、他のノードに送信されるネットワークノード１０によって使用される少なくとも１つの第２のパラメータに関する情報は、他のノードによるリクエストを受信することに応答して送信される。
【０１６２】
図１８は、無線デバイス２０および別のノードのスイッチング能力に少なくとも基づいて異なるヌメロロジー間でスイッチングするための、例えば無線デバイス２０によって行われる別の例示的な方法の流れ図である。１つの実施形態において、方法は、第１のヌメロロジーで動作する第１の信号と第２のヌメロロジーで動作する第２の信号との間でスイッチングするために、無線デバイス２０によって使用されることになる少なくとも１つの第１のパラメータに関する情報を他のノードから、例えば無線デバイス２０の通信インターフェース２８によって受信すること（ブロックＳ２７０）と、少なくとも１つの第１のパラメータに関する受信された情報に少なくとも基づいて第１の信号と第２の信号の間で、ヌメロロジースイッチコード３０と連動して、例えばプロセッサ２４によってスイッチングすること（ブロックＳ２８０）と、スイッチング後に、無線デバイス２０と他のノードの間で第１の信号および第２の信号のうちの少なくとも１つを、例えばプロセッサ２４によって動作させることと、を含む。
【０１６３】
別の実施形態において、方法は、第１のヌメロロジーで動作する第１の信号と第２のヌメロロジーで動作する第２の信号との間でスイッチングするために、無線デバイス２０によって使用される少なくとも１つの第２のパラメータに関する情報を他のノードに、例えば通信インターフェース２８によって送信することをさらに含む。
【０１６４】
別の実施形態において、他のノードに送信される無線デバイス２０によって使用される少なくとも１つの第２のパラメータに関する情報は、他のノードによるリクエストを受信することに応答して送信される。
【０１６５】
いくつかの実施形態は以下を含む。
【０１６６】
１つの態様によれば、ネットワークノード１０によってサポートされる異なるヌメロロジー間でスイッチングするためのネットワークノード１０における方法が提供される。方法は、第１のヌメロロジーで動作する第１の信号と第２のヌメロロジーで動作する第２の信号との間でスイッチングするために、ネットワークノード１０によって使用されることが可能な少なくとも１つのパラメータを判断すること（ブロックＳ１００）と、少なくとも１つのパラメータに基づいて第１の信号と第２の信号の間でスイッチングすること（ブロックＳ１１０）と、スイッチング後に、ネットワークノード１０と第２のノード１０、２０との間で第１の信号および第２の信号のうちの少なくとも１つを動作させること（ブロックＳ１２０）と、を含む。
【０１６７】
本態様によれば、いくつかの実施形態において、少なくとも１つのパラメータは、スイッチングによる割込時間を含む。いくつかの実施形態において、少なくとも１つのパラメータは、スイッチングによる最大許容割込時間に対応する所定の値を含む。いくつかの実施形態において、少なくとも１つのパラメータは、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む。いくつかの実施形態において、第１のヌメロロジーは、第１のサブキャリア間隔であり、第２のヌメロロジーは、第２のサブキャリア間隔であり、第２のサブキャリア間隔は、第１のサブキャリア間隔とは異なる。いくつかの実施形態において、方法は、異なるヌメロロジーを有するマルチキャストに隣接した少なくとも１つのサブフレームにおけるダウンリンク送信およびアップリンク送信のうちの少なくとも１つのスケジューリングを制限することをさらに含む。いくつかの実施形態において、ネットワークノード１０と第２のノード１０、２０との間で第１の信号および第２の信号のうちの少なくとも１つを動作させることは、第１の信号および第２の信号のうちの少なくとも１つを第２のノード１０、２０に送信することと、第１の信号および第２の信号のうちの少なくとも１つを第２のノード１０、２０から受信することと、のうちの少なくとも１つを含む。いくつかの実施形態において、第２のノード１０、２０は、無線デバイス２０である。いくつかの実施形態において、方法は、第２のノード１０、２０および別のノード１０、２０のうちの少なくとも１つから少なくとも１つのパラメータに関する情報を受信することを含み、少なくとも１つのパラメータに基づいて第１の信号と第２の信号の間でスイッチングすることは、少なくとも１つのパラメータに関する受信された情報に少なくとも基づいて第１の信号と第２の信号の間でスイッチングすることを含む。いくつかの実施形態において、第１の信号と第２の信号の間でスイッチングすることは、第２のノード１０、２０によってサポートされるヌメロロジーにさらに基づく。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１６８】
別の態様によれば、ネットワークノード１０によってサポートされる異なるヌメロロジー間でスイッチングするように設定されたネットワークノード１０が提供される。ネットワークノード１０は、第１のヌメロロジーで動作する第１の信号と第２のヌメロロジーで動作する第２の信号との間でスイッチングするために、ネットワークノード１０によって使用されることが可能な少なくとも１つのパラメータを判断することと、少なくとも１つのパラメータに基づいて第１の信号と第２の信号の間でスイッチングすることと、スイッチング後に、ネットワークノード１０と第２のノード１０、２０との間で第１の信号および第２の信号のうちの少なくとも１つを動作させることと、を行うように設定された処理回路機器１２を含む。
【０１６９】
本態様によれば、いくつかの実施形態において、少なくとも１つのパラメータは、スイッチングによる割込時間を含む。いくつかの実施形態において、少なくとも１つのパラメータは、スイッチングによる最大許容割込時間に対応する所定の値を含む。いくつかの実施形態において、少なくとも１つのパラメータは、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む。いくつかの実施形態において、第１のヌメロロジーは、第１のサブキャリア間隔であり、第２のヌメロロジーは、第２のサブキャリア間隔であり、第２のサブキャリア間隔は、第１のサブキャリア間隔とは異なる。いくつかの実施形態において、処理回路機器１２は、異なるヌメロロジーを有するマルチキャストに隣接した少なくとも１つのサブフレームにおけるダウンリンク送信およびアップリンク送信のうちの少なくとも１つのスケジューリングを制限するようにさらに設定される。いくつかの実施形態において、ネットワークノード１０は、処理回路機器１２と通信する通信インターフェース１８をさらに含み、処理回路機器１２は、第１の信号および第２の信号のうちの少なくとも１つを第２のノード１０、２０に送信することを通信インターフェース１８に行わせること、ならびに第１の信号および第２の信号のうちの少なくとも１つを第２のノード１０、２０から受信することを通信インターフェース１８に行わせること、のうちの少なくとも１つによって、ネットワークノード１０と第２のノード１０、２０との間で第１の信号および第２の信号のうちの少なくとも１つを動作させるように設定される。いくつかの実施形態において、第２のノード１０、２０は、無線デバイス２０である。いくつかの実施形態において、ネットワークノード１０は、処理回路機器１２と通信する通信インターフェース１８を含み、処理回路機器１２は、第２のノード１０、２０および別のノード１０、２０のうちの少なくとも１つから少なくとも１つのパラメータに関する情報を受信することを通信インターフェース１８に行わせること、ならびに少なくとも１つのパラメータに関する受信された情報に少なくとも基づいて第１の信号と第２の信号の間でスイッチングすること、を行うように設定される。いくつかの実施形態において、処理回路機器１２は、第２のノード１０、２０によってサポートされるヌメロロジーに基づいて第１の信号と第２の信号の間でスイッチングするようにさらに設定される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１７０】
別の態様によれば、無線デバイス２０によってサポートされる異なるヌメロロジー間でスイッチングするための、無線デバイス２０における方法が提供される。方法は、第１のヌメロロジーで動作する第１の信号と第２のヌメロロジーで動作する第２の信号との間でスイッチングするために、無線デバイス２０によって使用されることが可能な少なくとも１つのパラメータを判断すること（ブロックＳ１３０）と、少なくとも１つのパラメータに基づいて第１の信号と第２の信号の間でスイッチングすること（ブロックＳ１４０）と、スイッチング後に、無線デバイス２０と第２のノード１０、２０との間で第１の信号および第２の信号のうちの少なくとも１つを動作させること（ブロックＳ１５０）と、を含む。
【０１７１】
本態様によれば、いくつかの実施形態において、少なくとも１つのパラメータは、スイッチングによる割込時間を含む。いくつかの実施形態において、少なくとも１つのパラメータは、スイッチングによる最大許容割込時間に対応する所定の値を含む。いくつかの実施形態において、少なくとも１つのパラメータは、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む。いくつかの実施形態において、第１のヌメロロジーは、第１のサブキャリア間隔であり、第２のヌメロロジーは、第２のサブキャリア間隔であり、第２のサブキャリア間隔は、第１のサブキャリア間隔とは異なる。いくつかの実施形態において、方法は、異なるヌメロロジーを有するマルチキャストに隣接した少なくとも１つのサブフレームにおけるダウンリンク送信およびアップリンク送信のうちの少なくとも１つのスケジューリングを制限することをさらに含む。いくつかの実施形態において、ネットワークノード１０と第２のノード１０、２０との間で第１の信号および第２の信号のうちの少なくとも１つを動作させることは、第１の信号および第２の信号のうちの少なくとも１つを第２のノード１０、２０に送信することと、第１の信号および第２の信号のうちの少なくとも１つを第２のノード１０、２０から受信することと、のうちの少なくとも１つを含む。いくつかの実施形態において、第２のノード１０、２０は、第２の無線デバイス２０およびネットワークノード１０のうちの１つである。いくつかの実施形態において、方法は、第２のノード１０、２０および別のノード１０、２０のうちの少なくとも１つから少なくとも１つのパラメータに関する情報を受信することをさらに含み、少なくとも１つのパラメータに基づいて第１の信号と第２の信号の間でスイッチングすることは、少なくとも１つのパラメータに関する受信された情報に少なくとも基づいて第１の信号と第２の信号の間でスイッチングすることを含む。いくつかの実施形態において、第１の信号と第２の信号の間でスイッチングすることは、第２のノード１０、２０によってサポートされるヌメロロジーにさらに基づく。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１７２】
別の態様によれば、無線デバイス２０によってサポートされる異なるヌメロロジー間でスイッチングするように設定された無線デバイス２０が提供される。無線デバイス２０は、第１のヌメロロジーで動作する第１の信号と第２のヌメロロジーで動作する第２の信号との間でスイッチングするために、ネットワークノード１０によって使用されることが可能な少なくとも１つのパラメータを判断することと、少なくとも１つのパラメータに基づいて第１の信号と第２の信号の間でスイッチングすることと、スイッチング後に、ネットワークノード１０と第２のノード１０、２０との間で第１の信号および第２の信号のうちの少なくとも１つを動作させることと、を行うように設定された処理回路機器２２を含む。
【０１７３】
本態様によれば、いくつかの実施形態において、少なくとも１つのパラメータは、スイッチングによる割込時間を含む。いくつかの実施形態において、少なくとも１つのパラメータは、スイッチングによる最大許容割込時間に対応する所定の値を含む。いくつかの実施形態において、少なくとも１つのパラメータは、ヌメロロジースイッチング遅延時間、ヌメロロジー間スイッチングの頻度、スイッチングのために許容される固有時間リソース、スイッチングのために制限される時間リソース、スイッチングのために許容されるヌメロロジー、およびスイッチングのために許容されるスペクトルの一部分、のうちの少なくとも１つを含む。いくつかの実施形態において、第１のヌメロロジーは、第１のサブキャリア間隔であり、第２のヌメロロジーは、第２のサブキャリア間隔であり、第２のサブキャリア間隔は、第１のサブキャリア間隔とは異なる。いくつかの実施形態において、処理回路機器２２は、異なるヌメロロジーを有するマルチキャストに隣接した少なくとも１つのサブフレームにおけるダウンリンク送信およびアップリンク送信のうちの少なくとも１つのスケジューリングを制限するようにさらに設定される。いくつかの実施形態において、無線デバイス２０は、処理回路機器２２と通信する通信インターフェース２８をさらに含み、処理回路機器２２は、第１の信号および第２の信号のうちの少なくとも１つを第２のノード１０、２０に送信することを通信インターフェース２８に行わせること、ならびに第１の信号および第２の信号のうちの少なくとも１つを第２のノード１０、２０から受信することを通信インターフェース２８に行わせること、のうちの少なくとも１つによって、ネットワークノード１０と第２のノード１０、２０との間で第１の信号および第２の信号のうちの少なくとも１つを動作させるように設定される。いくつかの実施形態において、第２のノード１０、２０は、第２の無線デバイス２０およびネットワークノード１０のうちの１つである。いくつかの実施形態において、無線デバイス２０は、処理回路機器２２と通信する通信インターフェース２８をさらに含み、処理回路機器２２は、第２のノード１０、２０および別のノード１０、２０のうちの少なくとも１つから少なくとも１つのパラメータに関する情報を受信することを通信インターフェース２８に行わせること、ならびに少なくとも１つのパラメータに関する受信された情報に少なくとも基づいて第１の信号と第２の信号の間でスイッチングすること、を行うように設定される。いくつかの実施形態において、処理回路機器２２は、第２のノード１０、２０によってサポートされるヌメロロジーに基づいて第１の信号と第２の信号の間でスイッチングするようにさらに設定される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１７４】
１つの態様によれば、ネットワークノード１０および第２のノード１０、２０によってサポートされる異なるヌメロロジー間でスイッチングするためのネットワークノード１０における方法が提供される。方法は、第１のヌメロロジーで動作する第１の信号と第２のヌメロロジーで動作する第２の信号との間でスイッチングするために、ネットワークノード１０によって使用される少なくとも１つの第１のパラメータを判断すること（ブロックＳ１６０）と、第１のヌメロロジーで動作する第１の信号と第２のヌメロロジーで動作する第２の信号との間でスイッチングするために、第２のノード１０、２０によって使用される少なくとも１つの第２のパラメータを判断すること（ブロックＳ１７０）と、少なくとも１つの第１のパラメータおよび少なくとも１つの第２のパラメータのうちの少なくとも１つについての関数である第３のパラメータを判断すること（ブロックＳ１８０）と、少なくとも１つの動作タスクのために第３のパラメータを使用すること（ブロックＳ１９０）と、を含む。
【０１７５】
本態様によれば、いくつかの実施形態において、少なくとも１つの第１のパラメータおよび少なくとも１つの第２のパラメータのうちの少なくとも１つは、スイッチングによる割込時間を含む。いくつかの実施形態において、少なくとも１つの第１のパラメータおよび少なくとも１つの第２のパラメータのうちの少なくとも１つは、スイッチングによる最大許容割込時間に対応する所定の値を含む。いくつかの実施形態において、少なくとも１つの第１のパラメータの値は、少なくとも１つの第２のパラメータの値と同じである。いくつかの実施形態において、少なくとも１つの第１のパラメータの値は、少なくとも１つの第２のパラメータの値とは異なる。いくつかの実施形態において、少なくとも１つの第２のパラメータは、所定の情報、別のノード１０、２０からの第２のノード１０、２０と関連付けられた少なくとも１つの第２のパラメータについての受信情報、統計データおよび履歴データのうちの少なくとも１つ、ならびに第２のノード１０、２０からのフィードバック、のうちの少なくとも１つに基づいて判断されるパラメータを含む。いくつかの実施形態において、少なくとも１つの動作タスクは、第３のパラメータの判断された値に関する情報で第２のノード１０、２０を設定することと、第３のパラメータの判断された値に関する情報を送信することと、第２のノード１０、２０と交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。いくつかの実施形態において、少なくとも１つの動作タスクは、第１の信号および第２の信号のうちの少なくとも１つを第２のノード１０、２０に送信することと、第１の信号および第２の信号のうちの少なくとも１つを第２のノード１０、２０から受信することと、のうちの少なくとも１つを含む。いくつかの実施形態において、第２のノード１０、２０は、無線デバイス２０である。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１７６】
別の態様によれば、ネットワークノード１０および第２のノード１０、２０によってサポートされる異なるヌメロロジー間でスイッチングするように設定されたネットワークノード１０が提供される。ネットワークノード１０は、第１のヌメロロジーで動作する第１の信号と第２のヌメロロジーで動作する第２の信号との間でスイッチングするために、ネットワークノード１０によって使用される少なくとも１つの第１のパラメータを判断することと、第１のヌメロロジーで動作する第１の信号と第２のヌメロロジーで動作する第２の信号との間でスイッチングするために、第２のノード１０、２０によって使用される少なくとも１つの第２のパラメータを判断することと、少なくとも１つの第１のパラメータおよび少なくとも１つの第２のパラメータのうちの少なくとも１つについての関数である第３のパラメータを判断することと、少なくとも１つの動作タスクのために第３のパラメータを使用することと、を行うように設定された処理回路機器１２を含む。
【０１７７】
本態様によれば、いくつかの実施形態において、少なくとも１つの第１のパラメータおよび少なくとも１つの第２のパラメータのうちの少なくとも１つは、スイッチングによる割込時間を含む。いくつかの実施形態において、少なくとも１つの第１のパラメータおよび少なくとも１つの第２のパラメータのうちの少なくとも１つは、スイッチングによる最大許容割込時間に対応する所定の値を含む。いくつかの実施形態において、少なくとも１つの第１のパラメータの値は、少なくとも１つの第２のパラメータの値と同じである。いくつかの実施形態において、少なくとも１つの第１のパラメータの値は、少なくとも１つの第２のパラメータの値とは異なる。いくつかの実施形態において、少なくとも１つの第２のパラメータは、所定の情報、別のノード１０、２０からの第２のノード１０、２０と関連付けられた少なくとも１つの第２のパラメータについての受信情報、統計データおよび履歴データのうちの少なくとも１つ、ならびに第２のノード１０、２０からのフィードバック、のうちの少なくとも１つに基づいて判断されるパラメータを含む。いくつかの実施形態において、少なくとも１つの動作タスクは、第３のパラメータの判断された値に関する情報で第２のノード１０、２０を設定することと、第３のパラメータの判断された値に関する情報を送信することと、第２のノード１０、２０と交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。いくつかの実施形態において、少なくとも１つの動作タスクは、第１の信号および第２の信号のうちの少なくとも１つを第２のノード１０、２０に送信することと、第１の信号および第２の信号のうちの少なくとも１つを第２のノード１０、２０から受信することと、のうちの少なくとも１つを含む。いくつかの実施形態において、第２のノード１０、２０は、無線デバイス２０である。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１７８】
１つの態様によれば、無線デバイス２０および第２のノード１０、２０によってサポートされる異なるヌメロロジー間でスイッチングするための無線デバイス２０における方法が提供される。方法は、第１のヌメロロジーで動作する第１の信号と第２のヌメロロジーで動作する第２の信号との間でスイッチングするために、無線デバイス２０によって使用される少なくとも１つの第１のパラメータを判断すること（ブロックＳ２００）と、第１のヌメロロジーで動作する第１の信号と第２のヌメロロジーで動作する第２の信号との間でスイッチングするために、第２のノード１０、２０によって使用される少なくとも１つの第２のパラメータを判断すること（ブロックＳ２１０）と、少なくとも１つの第１のパラメータおよび少なくとも１つの第２のパラメータのうちの少なくとも１つについての関数である第３のパラメータを判断すること（ブロックＳ２２０）と、少なくとも１つの動作タスクのために第３のパラメータを使用すること（ブロックＳ２３０）と、を含む。
【０１７９】
本態様によれば、いくつかの実施形態において、少なくとも１つの第１のパラメータおよび少なくとも１つの第２のパラメータのうちの少なくとも１つは、スイッチングによる割込時間を含む。いくつかの実施形態において、少なくとも１つの第１のパラメータおよび少なくとも１つの第２のパラメータのうちの少なくとも１つは、スイッチングによる最大許容割込時間に対応する所定の値を含む。いくつかの実施形態において、少なくとも１つの第１のパラメータの値は、少なくとも１つの第２のパラメータの値と同じである。いくつかの実施形態において、少なくとも１つの第１のパラメータの値は、少なくとも１つの第２のパラメータの値とは異なる。いくつかの実施形態において、少なくとも１つの第２のパラメータは、所定の情報、別のノード１０、２０からの第２のノード１０、２０と関連付けられた少なくとも１つの第２のパラメータについての受信情報、統計データおよび履歴データのうちの少なくとも１つ、ならびに第２のノード１０、２０からのフィードバック、のうちの少なくとも１つに基づいて判断されるパラメータを含む。いくつかの実施形態において、少なくとも１つの動作タスクは、第３のパラメータの判断された値に関する情報で第２のノード１０、２０を設定することと、第３のパラメータの判断された値に関する情報を送信することと、第２のノード１０、２０と交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。いくつかの実施形態において、少なくとも１つの動作タスクは、第１の信号および第２の信号のうちの少なくとも１つを第２のノード１０、２０に送信することと、第１の信号および第２の信号のうちの少なくとも１つを第２のノード１０、２０から受信することと、のうちの少なくとも１つを含む。いくつかの実施形態において、第２のノード１０、２０は、第２の無線デバイス２０である。いくつかの実施形態において、第２のノード１０、２０は、ネットワークノード１０である。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１８０】
１つの態様によれば、無線デバイス２０および第２のノード１０、２０によってサポートされる異なるヌメロロジー間でスイッチングするように設定された無線デバイス２０が提供される。無線デバイス２０は、第１のヌメロロジーで動作する第１の信号と第２のヌメロロジーで動作する第２の信号との間でスイッチングするために、無線デバイス２０によって使用される少なくとも１つの第１のパラメータを判断することと、第１のヌメロロジーで動作する第１の信号と第２のヌメロロジーで動作する第２の信号との間でスイッチングするために、第２のノード１０、２０によって使用される少なくとも１つの第２のパラメータを判断することと、少なくとも１つの第１のパラメータおよび少なくとも１つの第２のパラメータのうちの少なくとも１つについての関数である第３のパラメータを判断することと、少なくとも１つの動作タスクのために第３のパラメータを使用することと、を行うように設定された処理回路機器２２を含む。
【０１８１】
本態様によれば、いくつかの実施形態において、少なくとも１つの第１のパラメータおよび少なくとも１つの第２のパラメータのうちの少なくとも１つは、スイッチングによる割込時間を含む。いくつかの実施形態において、少なくとも１つの第１のパラメータおよび少なくとも１つの第２のパラメータのうちの少なくとも１つは、スイッチングによる最大許容割込時間に対応する所定の値を含む。いくつかの実施形態において、少なくとも１つの第１のパラメータの値は、少なくとも１つの第２のパラメータの値と同じである。いくつかの実施形態において、少なくとも１つの第１のパラメータの値は、少なくとも１つの第２のパラメータの値とは異なる。いくつかの実施形態において、少なくとも１つの第２のパラメータは、所定の情報、別のノード１０、２０からの第２のノード１０、２０と関連付けられた少なくとも１つの第２のパラメータについての受信情報、統計データおよび履歴データのうちの少なくとも１つ、ならびに第２のノード１０、２０からのフィードバック、のうちの少なくとも１つに基づいて判断される。いくつかの実施形態において、少なくとも１つの動作タスクは、第３のパラメータの判断された値に関する情報で第２のノード１０、２０を設定することと、第３のパラメータの判断された値に関する情報を送信することと、第２のノード１０、２０と交換される信号のスケジューリングのために第３のパラメータの判断された値に関する情報を使用することと、第３のパラメータの判断された値に基づいて第１の信号と第２の信号の間のスイッチングを行うことと、のうちの少なくとも１つを含む。いくつかの実施形態において、少なくとも１つの動作タスクは、第１の信号および第２の信号のうちの少なくとも１つを第２のノード１０、２０に送信することと、第１の信号および第２の信号のうちの少なくとも１つを第２のノード１０、２０から受信することと、のうちの少なくとも１つを含む。いくつかの実施形態において、第２のノード１０、２０は、第２の無線デバイス２０である。いくつかの実施形態において、第２のノード１０、２０は、ネットワークノード１０である。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１８２】
１つの態様によれば、ネットワークノード１０および別のノード１０、２０によってサポートされる異なるヌメロロジー間でスイッチングするためのネットワークノード１０における方法が提供される。方法は、第１のヌメロロジーで動作する第１の信号と第２のヌメロロジーで動作する第２の信号との間でスイッチングするために、ネットワークノード１０によって使用されることになる少なくとも１つの第１のパラメータに関する情報を他のノードから受信すること（ブロックＳ２４０）と、少なくとも１つの第１のパラメータに関する受信された情報に少なくとも基づいて第１の信号と第２の信号の間でスイッチングすること（ブロックＳ２５０）と、スイッチング後に、ネットワークノード１０と他のノードの間で第１の信号および第２の信号のうちの少なくとも１つを動作させること（ブロックＳ２６０）と、を含む。
【０１８３】
本態様によれば、いくつかの実施形態において、少なくとも１つの第１のパラメータは、スイッチングによる割込時間を含む。いくつかの実施形態において、少なくとも１つの第１のパラメータは、スイッチングによる最大許容割込時間に対応する所定の値を含む。いくつかの実施形態において、方法は、第１のヌメロロジーで動作する第１の信号と第２のヌメロロジーで動作する第２の信号との間でスイッチングするために、ネットワークノード１０によって使用される少なくとも１つの第２のパラメータに関する情報を他のノードに送信することをさらに含む。いくつかの実施形態において、他のノード１０、２０に送信されるネットワークノード１０によって使用される少なくとも１つの第２のパラメータに関する情報は、他のノード１０、２０によるリクエストを受信することに応答して送信される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１８４】
１つの態様によれば、ネットワークノード１０および別のノード１０、２０によってサポートされる異なるヌメロロジー間でスイッチングするように設定されたネットワークノード１０が提供される。ネットワークノード１０は、第１のヌメロロジーで動作する第１の信号と第２のヌメロロジーで動作する第２の信号との間でスイッチングするために、ネットワークノード１０によって使用されることになる少なくとも１つの第１のパラメータに関する情報を他のノード１０、２０から受信するように設定された通信インターフェース１８と、少なくとも１つの第１のパラメータに関する受信された情報に少なくとも基づいて第１の信号と第２の信号の間でスイッチングすることと、スイッチング後に、ネットワークノード１０と他のノード１０、２０の間で第１の信号および第２の信号のうちの少なくとも１つを動作させることと、を行うように設定された処理回路機器１２を含む。
【０１８５】
本態様によれば、いくつかの実施形態において、少なくとも１つの第１のパラメータは、スイッチングによる割込時間を含む。いくつかの実施形態において、少なくとも１つの第１のパラメータは、スイッチングによる最大許容割込時間に対応する所定の値を含む。いくつかの実施形態において、通信インターフェース１８は、第１のヌメロロジーで動作する第１の信号と第２のヌメロロジーで動作する第２の信号との間でスイッチングするために、ネットワークノード１０によって使用される少なくとも１つの第２のパラメータに関する情報を他のノード１０、２０に送信するようにさらに設定される。いくつかの実施形態において、他のノード１０、２０に送信されるネットワークノード１０によって使用される少なくとも１つの第２のパラメータに関する情報は、他のノード１０、２０によるリクエストを受信することに応答して送信される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１８６】
１つの態様によれば、無線デバイス２０および別のノード１０、２０によってサポートされる異なるヌメロロジー間でスイッチングするための無線デバイス２０における方法が提供される。方法は、第１のヌメロロジーで動作する第１の信号と第２のヌメロロジーで動作する第２の信号との間でスイッチングするために、無線デバイス２０によって使用されることになる少なくとも１つの第１のパラメータに関する情報を他のノード１０、２０から受信すること（ブロックＳ２７０）と、少なくとも１つの第１のパラメータに関する受信された情報に少なくとも基づいて第１の信号と第２の信号の間でスイッチングすること（ブロックＳ２８０）と、スイッチング後に、無線デバイス２０と他のノード１０、２０の間で第１の信号および第２の信号のうちの少なくとも１つを動作させること（ブロックＳ２９０）と、を含む。
【０１８７】
本態様によれば、いくつかの実施形態において、少なくとも１つの第１のパラメータは、スイッチングによる割込時間を含む。いくつかの実施形態において、少なくとも１つの第１のパラメータは、スイッチングによる最大許容割込時間に対応する所定の値を含む。いくつかの実施形態において、方法は、第１のヌメロロジーで動作する第１の信号と第２のヌメロロジーで動作する第２の信号との間でスイッチングするために、無線デバイス２０によって使用される少なくとも１つの第２のパラメータに関する情報を他のノード１０、２０に送信することをさらに含む。いくつかの実施形態において、他のノード１０、２０に送信される無線デバイス２０によって使用される少なくとも１つの第２のパラメータに関する情報は、他のノード１０、２０によるリクエストを受信することに応答して送信される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１８８】
１つの態様によれば、無線デバイス２０および別のノード１０、２０によってサポートされる異なるヌメロロジー間でスイッチングするように設定された無線デバイス２０が提供される。無線デバイス２０は、第１のヌメロロジーで動作する第１の信号と第２のヌメロロジーで動作する第２の信号との間でスイッチングするために、無線デバイス２０によって使用されることになる少なくとも１つの第１のパラメータに関する情報を他のノード１０、２０から受信するように設定された通信インターフェース２８と、少なくとも１つの第１のパラメータに関する受信された情報に少なくとも基づいて第１の信号と第２の信号の間でスイッチングすること、およびスイッチング後に、無線デバイス２０と他のノード１０、２０の間で第１の信号および第２の信号のうちの少なくとも１つを動作させること、を行うように設定された処理回路機器２２と、を含む。
【０１８９】
本態様によれば、いくつかの実施形態において、少なくとも１つの第１のパラメータは、スイッチングによる割込時間を含む。いくつかの実施形態において、少なくとも１つの第１のパラメータは、スイッチングによる最大許容割込時間に対応する所定の値を含む。いくつかの実施形態において、通信インターフェース２８は、第１のヌメロロジーで動作する第１の信号と第２のヌメロロジーで動作する第２の信号との間でスイッチングするために、無線デバイス２０によって使用される少なくとも１つの第２のパラメータに関する情報を他のノード１０、２０に送信するようにさらに設定される。いくつかの実施形態において、他のノード１０、２０に送信される無線デバイス２０によって使用される少なくとも１つの第２のパラメータに関する情報は、他のノード１０、２０によるリクエストを受信することに応答して送信される。いくつかの実施形態において、第１の信号および第２の信号の一方は、少なくとも１つの非マルチメディアブロードキャスト単一周波数ネットワーク（非ＭＢＳＦＮ）のサブフレームに含まれ、第１の信号および第２の信号の他方は、少なくとも１つのマルチメディアブロードキャスト単一周波数ネットワーク（ＭＢＳＦＮ）のサブフレームに含まれる。
【０１９０】
１つの態様によれば、ネットワークノード１０によってサポートされる異なるヌメロロジー間でスイッチングするように設定されたネットワークノード１０が提供される。ネットワークノード１０は、第１のヌメロロジーで動作する第１の信号と第２のヌメロロジーで動作する第２の信号との間でスイッチングするために、ネットワークノード１０によって使用されることが可能な少なくとも１つのパラメータを判断するように設定されたパラメータ判断モジュール３２と、少なくとも１つのパラメータに基づいて第１の信号と第２の信号の間でスイッチングするように設定された信号スイッチモジュール３４と、スイッチング後に、ネットワークノード１０と第２のノード１０、２０の間で第１の信号および第２の信号のうちの少なくとも１つを動作させるように設定された信号動作モジュール３６と、を含む。
【０１９１】
１つの態様によれば、無線デバイス２０によってサポートされる異なるヌメロロジー間でスイッチングするように設定された無線デバイス２０が提供される。無線デバイス２０は、第１のヌメロロジーで動作する第１の信号と第２のヌメロロジーで動作する第２の信号との間でスイッチングするために、無線デバイス２０によって使用されることが可能な少なくとも１つのパラメータを判断するように設定されたパラメータ判断モジュール３８と、少なくとも１つのパラメータに基づいて第１の信号と第２の信号の間でスイッチングするように設定された信号スイッチモジュール４０と、スイッチング後に、無線デバイス２０と第２のノード１０、２０との間で第１の信号および第２の信号のうちの少なくとも１つを動作させるように設定された信号動作モジュール４２と、を含む。
【０１９２】
１つの態様によれば、ネットワークノード１０によってサポートされる異なるヌメロロジー間でスイッチングするように設定されたネットワークノード１０が提供される。ネットワークノード１０は、第１のヌメロロジーで動作する第１の信号と第２のヌメロロジーで動作する第２の信号との間でスイッチングするために、ネットワークノード１０によって使用される少なくとも１つの第１のパラメータを判断すること、第１のヌメロロジーで動作する第１の信号と第２のヌメロロジーで動作する第２の信号との間でスイッチングするために、第２のノード１０、２０によって使用される少なくとも１つの第２のパラメータを判断すること、ならびに少なくとも１つの第１のパラメータおよび少なくとも１つの第２のパラメータのうちの少なくとも１つについての関数である第３のパラメータを判断すること、を行うように設定されたパラメータ判断モジュール３２と、少なくとも１つの動作タスクのために第３のパラメータを使用するように設定されたパラメータ実行モジュール４４と、を含む。
【０１９３】
１つの態様によれば、無線デバイス２０によってサポートされる異なるヌメロロジー間でスイッチングするように設定された無線デバイス２０が提供される。無線デバイス２０は、第１のヌメロロジーで動作する第１の信号と第２のヌメロロジーで動作する第２の信号との間でスイッチングするために、無線デバイス２０によって使用される少なくとも１つの第１のパラメータを判断すること、第１のヌメロロジーで動作する第１の信号と第２のヌメロロジーで動作する第２の信号との間でスイッチングするために、第２のノード１０、２０によって使用される少なくとも１つの第２のパラメータを判断すること、ならびに少なくとも１つの第１のパラメータおよび少なくとも１つの第２のパラメータのうちの少なくとも１つについての関数である第３のパラメータを判断すること、を行うように設定されたパラメータ判断モジュール３８と、少なくとも１つの動作タスクのために第３のパラメータを使用するように設定されたパラメータ実行モジュール４６と、を含む。
【０１９４】
別の態様によれば、ネットワークノード１０および別のノード１０、２０によってサポートされる異なるヌメロロジー間でスイッチングするように設定されたネットワークノード１０が提供される。ネットワークノード１０は、第１のヌメロロジーで動作する第１の信号と第２のヌメロロジーで動作する第２の信号との間でスイッチングするために、ネットワークノード１０によって使用されることになる少なくとも１つの第１のパラメータに関する情報を他のノード１０、２０から受信するように設定された通信インターフェースモジュール４８と、少なくとも１つの第１のパラメータに関する受信された情報に少なくとも基づいて第１の信号と第２の信号の間でスイッチングするように設定された信号スイッチモジュール３４と、スイッチング後に、ネットワークノード１０と他のノード１０、２０の間で第１の信号および第２の信号のうちの少なくとも１つを動作させるように設定された信号動作モジュール３６と、を含む。
【０１９５】
別の態様によれば、無線デバイス２０および別のノード１０、２０によってサポートされる異なるヌメロロジー間でスイッチングするように設定された無線デバイス２０が提供される。無線デバイス２０は、第１のヌメロロジーで動作する第１の信号と第２のヌメロロジーで動作する第２の信号との間でスイッチングするために、無線デバイス２０によって使用されることになる少なくとも１つの第１のパラメータに関する情報を他のノード１０、２０から受信するように設定された通信インターフェースモジュール５０と、少なくとも１つの第１のパラメータに関する受信された情報に少なくとも基づいて第１の信号と第２の信号の間でスイッチングするように設定された信号スイッチモジュール４０と、スイッチング後に、無線デバイス２０と他のノード１０、２０の間で第１の信号および第２の信号のうちの少なくとも１つを動作させるように設定された信号動作モジュール４２と、を含む。
【０１９６】
当業者によって理解されるように、本明細書で説明される概念は、方法、データ処理システム、および／またはコンピュータプログラム製品として具体化されることが可能である。したがって、本明細書で説明される概念は、全面的にハードウェアの実施形態、全面的にソフトウェアの実施形態、またはソフトウェアとハードウェアの態様を組み合わせる実施形態の形をとることができ、全てが全体的に本明細書において「回路」または「モジュール」と呼ばれる。さらに、本開示は、コンピュータによって実行されることが可能な媒体の中で具体化されたコンピュータプログラムコードを有する有形のコンピュータ使用可能ストレージ媒体上のコンピュータプログラム製品の形をとることができる。ハードディスク、ＣＤ−ＲＯＭ、電子ストレージデバイス、光ストレージデバイス、または磁気ストレージデバイスを含む任意の適切な有形のコンピュータ可読媒体が利用されることが可能である。
【０１９７】
いくつかの実施形態は、方法、システム、およびコンピュータプログラム製品の流れ図および／またはブロック図を参照しながら本明細書において説明される。流れ図および／またはブロック図の各ブロック、ならびに流れ図および／またはブロック図におけるブロックの組合せは、コンピュータプログラム命令によって実行されることが可能であるということが理解されよう。これらのコンピュータプログラム命令は、コンピュータまたは他のプログラム可能データ処理装置のプロセッサによって実行する命令が、流れ図および／またはブロック図の１つまたは複数のブロックの中で指定された機能／作用を実行するための手段を作り出すように、汎用コンピュータ、専用コンピュータ、または機械を生み出す他のプログラム可能処理装置のプロセッサに提供されることが可能である。
【０１９８】
これらのコンピュータプログラム命令は、コンピュータ可読メモリに格納された命令が、流れ図および／またはブロック図の１つまたは複数のブロックの中で指定された機能／作用を実行する命令手段を含む製品を生み出すように、特定の手法で機能するようにコンピュータまたは他のプログラム可能データ処理装置に指示できるコンピュータ可読メモリまたはストレージ媒体に格納されることも可能である。
【０１９９】
コンピュータプログラム命令は、コンピュータまたは他のプログラマブル装置上で実行する命令が、流れ図および／またはブロック図の１つまたは複数のブロックの中で指定された機能／作用を実行するためのステップを行うように、コンピュータ実行処理を生み出すためのコンピュータまたは他のプログラマブル装置上で一連の動作ステップが行われるようにするために、コンピュータまたは他のプログラム可能データ処理装置上にロードされることも可能である。
【０２００】
ブロック内に記述される機能／作用は、動作の例証の中で記述された順序以外の順序で発生させることが可能であるということが理解されよう。例えば、連続して示される２つのブロックは、実際には、実質的に並行に実行されることが可能であり、またブロックは、時には、関連する機能／作用に応じて逆の順序で実行されることが可能である。図のうちのいくつかは、通信の主な方向を示すために通信経路上の矢印を含むが、通信は、描写された矢印に対して逆方向に発生することが可能であるということを理解されたい。
【０２０１】
本明細書で説明される概念の動作を実行するためのコンピュータプログラムコードは、Ｊａｖａ（登録商標）またはＣ＋＋などのオブジェクト指向プログラミング言語で書かれることが可能である。しかし、本開示の動作を実行するためのコンピュータプログラムコードは、「Ｃ」プログラミング言語などの従来の手続型プログラミング言語で書かれることも可能である。プログラムコードは、スタンドアロンソフトウェアパッケージとして全面的にユーザのコンピュータ上で、部分的にユーザのコンピュータ上で実行することができ、部分的にユーザのコンピュータ上および部分的にリモートコンピュータ上で、または全面的にリモートコンピュータ上で実行することができる。後者のシナリオにおいて、リモートコンピュータは、ローカルエリアネットワーク（ＬＡＮ）または広域ネットワーク（ＷＡＮ）を通じてユーザのコンピュータに接続されることが可能であり、また接続は、（例えばインターネットサービスプロバイダを使用してインターネットを通じて）外部コンピュータに対して行われることが可能である。
【０２０２】
上記の記述および図面に関して多くの様々な実施形態が本明細書で開示された。これらの実施形態のあらゆる結合および小結合を文字通り説明し、図示するのは、過度に繰り返しを多くし、分かりにくくするであろうということが理解されよう。したがって、全ての実施形態は、任意の方式および／または組合せで組み合わされることが可能であり、本明細書は、図面を含めて、本明細書で説明される実施形態の、ならびにこれらを作り使用する手法および処理の、全ての結合および小結合の完全な説明書類とみなされるものと解釈されなければならず、任意のこのような結合または小結合に対する請求項を裏付けるものである。
【０２０３】
本明細書で説明される実施形態は、本明細書において上記で具体的に示され、説明されたものに限定されないということが当業者によって正しく認識されるであろう。さらに、反対に上記で言及されない限り、添付の図面の全ては、スケーリングされるべきではないということに留意されたい。以下の特許請求の範囲の範囲から逸脱することなく、上記の教示の観点から、様々な修正および変形が可能である。
【図１】
0006976342.tif 000002
【図２】
0006976342.tif 000003
【図３】
0006976342.tif 000004
【図４】
0006976342.tif 000005
【図５】
0006976342.tif 000006
【図６】
0006976342.tif 000007
【図７】
0006976342.tif 000008
【図８】
0006976342.tif 000009
【図９】
0006976342.tif 000010
【図１０】
0006976342.tif 000011
【図１１】
0006976342.tif 000012
【図１２】
0006976342.tif 000013
【図１３】
0006976342.tif 000014
【図１４】
0006976342.tif 000015
【図１５】
0006976342.tif 000016
【図１６】
0006976342.tif 000017
【図１７】
0006976342.tif 000018
【図１８】
0006976342.tif 000019